(57)【要約】【課題】太陽電池モジュールの並列接続に適した端子ボックスの小型化を実現させることができる太陽電池モジュール用の端子ボックス、太陽電池モジュール及び太陽電池アレイを提供する。【解決手段】太陽電池モジュール用の端子ボックスは、端子ボックス本体と、端子ボックス本体の一端部及び一端部とは反対側の他端部にそれぞれ正負一対の電線とを備える。太陽電池モジュールは、太陽電池モジュール本体と端子ボックスとを備え、端子ボックスは、端子ボックス本体と、端子ボックス本体の一端部及び一端部とは反対側の他端部にそれぞれ正負一対の電線とを備える。太陽電池アレイは、太陽電池モジュールを複数備え、一の太陽電池モジュールの正負一対の電線が隣接する他の太陽電池モジュールの正負一対の電線と電気的に接続されることにより複数の太陽電池モジュールが並列接続されている。【選択図】図３
2016007125.tif 000002
【特許請求の範囲】
【請求項１】
端子ボックス本体と、前記端子ボックス本体の一端部及び前記一端部とは反対側の他端部にそれぞれ正負一対の電線とを備えることを特徴とする太陽電池モジュール用の端子ボックス。
【請求項２】
請求項１に記載の太陽電池モジュール用の端子ボックスであって、
前記端子ボックス本体内に設けられた第１端子部材と前記第１端子部材とは極性の異なる第２端子部材とが積層構造とされていることを特徴とする太陽電池モジュール用の端子ボックス。
【請求項３】
請求項２に記載の太陽電池モジュール用の端子ボックスであって、
前記端子ボックス本体内に設けられ、かつ、前記第１端子部材と前記第２端子部材との間を電気的に絶縁するスペーサをさらに備えていることを特徴とする太陽電池モジュール用の端子ボックス。
【請求項４】
請求項１から請求項３までの何れか１つに記載の太陽電池モジュール用の端子ボックスであって、
前記端子ボックス本体の高さは、２０ｍｍ以下とされていることを特徴とする太陽電池モジュール用の端子ボックス。
【請求項５】
請求項１から請求項４までの何れか１つに記載の太陽電池モジュール用の端子ボックスであって、
前記端子ボックス本体内にダイオードをさらに備えることを特徴とする太陽電池モジュール用の端子ボックス。
【請求項６】
請求項１から請求項５までの何れか１つに記載の太陽電池モジュール用の端子ボックスであって、
前記太陽電池モジュールの太陽電池モジュール本体から取り出された一対のリード線のうちの一方のリード線に電気的に接続される一方のリード線接続部の接続位置及び前記一対のリード線のうちの他方のリード線に電気的に接続される他方のリード線接続部の接続位置が所定方向において揃うように構成されていることを特徴とする太陽電池モジュール用の端子ボックス。
【請求項７】
請求項１から請求項６までの何れか１つに記載の太陽電池モジュール用の端子ボックスであって、
前記太陽電池モジュールの太陽電池モジュール本体から取り出された一対のリード線のうちの少なくとも一方のリード線に電気的に接続されるリード線接続部の周縁部の少なくとも一部を囲むように突出した突出部が設けられていることを特徴とする太陽電池モジュール用の端子ボックス。
【請求項８】
請求項１から請求項７までの何れか１つに記載の太陽電池モジュール用の端子ボックスであって、
前記端子ボックス本体の一端部に一方のケーブルが接続され、かつ、前記一端部とは反対側の他端部に他方のケーブルが接続される構成とされており、
前記一方のケーブル及び前記他方のケーブルは、何れも前記正負一対の電線を備えることを特徴とする太陽電池モジュール用の端子ボックス。
【請求項９】
請求項８に記載の太陽電池モジュール用の端子ボックスであって、
前記一方のケーブル及び前記他方のケーブルは、何れも前記正負一対の電線を一体化した２芯一体化ケーブルとされていることを特徴とする太陽電池モジュール用の端子ボックス。
【請求項１０】
請求項９に記載の太陽電池モジュール用の端子ボックスであって、
前記２芯一体化ケーブルは、前記端子ボックス本体に接続される側とは反対側が１芯ケーブルずつに分岐されており、分岐側の２つの前記１芯ケーブルの端部には、一対のコネクタが設けられていることを特徴とする太陽電池モジュール用の端子ボックス。
【請求項１１】
請求項１から請求項１０までの何れか１つに記載の太陽電池モジュール用の端子ボックスであって、
前記端子ボックス本体内の端子部材と前記電線との接続部が充填剤で充填されていることを特徴とする太陽電池モジュール用の端子ボックス。
【請求項１２】
太陽電池モジュール本体と端子ボックスとを備え、
前記端子ボックスは、端子ボックス本体と、前記端子ボックス本体の一端部及び前記一端部とは反対側の他端部にそれぞれ正負一対の電線とを備えることを特徴とする太陽電池モジュール。
【請求項１３】
請求項１２に記載の太陽電池モジュールを複数備え、
一の太陽電池モジュールの前記正負一対の電線が隣接する他の太陽電池モジュールの前記正負一対の電線と電気的に接続されることにより前記複数の太陽電池モジュールが並列接続されていることを特徴とする太陽電池アレイ。
【発明の詳細な説明】
【技術分野】
【０００１】
本発明は、太陽電池モジュール用の端子ボックス、太陽電池モジュール及び太陽電池アレイに関する。
【背景技術】
【０００２】
太陽電池モジュールとしては、例えば、ガラス等の基板上に張り付けられた単結晶シリコン又は多結晶シリコンからなる複数の結晶太陽電池セルを樹脂材や保護フィルムなどの封止材で封止して形成される結晶太陽電池モジュールや、ガラス等の基板上に形成された薄膜光電変換層からなる薄膜太陽電池セルを樹脂材や保護フィルムなどの封止材で封止して形成される薄膜太陽電池モジュールがあり、また、基板上の太陽電池セルを封止した封止材の上からさらにガラス等の基板によって挟み込む構造としたものもある。
【０００３】
このような太陽電池モジュールでは、通常、発電した電力を外部に取り出すために、太陽電池セルに電気的に接続されたリード線を外部に引き出し、引き出したリード線をケーブルに接続される端子ボックスに電気的に接続するようになっている。かかる端子ボックスは、太陽電池モジュール本体の裏面に設けられる場合や、太陽電池モジュール本体の側面に設けられる場合がある。
【０００４】
そして、複数の太陽電池モジュールを設置する際には、端子ボックスを介して、複数の太陽電池モジュール本体を直列に接続したり、複数の太陽電池モジュール本体を並列に接続したり、或いは、直列に接続した太陽電池モジュール本体列を並列に接続したりして、所望の出力電圧及び発電電力を得るようにしている。
【０００５】
このような端子ボックスにおいては、近年、太陽電池モジュールの設置形態や、太陽電池モジュールを効率よく配置するといった観点から、端子ボックスをできるだけ小型化することが要求されている。
【０００６】
このことは、端子ボックスが太陽電池モジュール本体の側面に設けられる場合、さらには、太陽電池モジュールが、採光用として建築物の天井や壁面等に使用される他、乗用車のサンルーフや建物の窓など、幅広い用途に使用することが可能な光透過型（所謂シースルータイプ）の薄膜太陽電池モジュールである場合に、特に望まれている。ここで、光透過型の薄膜太陽電池モジュールとしては、例えば、特許文献１に記載しているような、発電部に細長い溝（所謂シースルーライン）を多数形成して光を透過させるようにした太陽電池モジュールを挙げることができる。
【０００７】
この点に関し、特許文献２，３は、一端部に一方のケーブルが接続され、かつ、一端部とは反対側の他端部に他方のケーブルが接続される太陽電池モジュール用の端子ボックスを開示している。このような端子ボックスは、例えば、ケーブルの幅程度のサイズにすることができるようになっている。
【先行技術文献】
【特許文献】
【０００８】
【特許文献１】特開２０１４−４１９８９号公報
【特許文献２】特開２００５−２５１９８０号公報
【特許文献３】特開２０１０−２７２６４２号公報
【発明の概要】
【発明が解決しようとする課題】
【０００９】
ところで、端子ボックスを介して接続される複数の太陽電池モジュールの接続形態としては、単一（１芯）の電線を備えたケーブルが端子ボックス本体に接続される場合がある。
【００１０】
図２４は、複数の太陽電池モジュールＭａ〜Ｍａの接続形態の一例を模式的に示す概略構成図である。なお、図２４では、複数の端子ボックスＢａ〜Ｂａが複数の太陽電池モジュール本体Ｍ〜Ｍの側面Ｍ１に設けられる例を示している。
【００１１】
単一（１芯）の電線を備えたケーブルが端子ボックス本体に接続される場合には、例えば、図２４に示すように、複数の太陽電池モジュール本体Ｍ〜Ｍは、単一（１芯）の電線Ｗａを備えた一方のケーブルＣａ１及び単一（１芯）の電線Ｗｂを備えた他方のケーブルＣａ２を介して直列に接続される。詳しくは、複数の太陽電池モジュール本体Ｍ〜Ｍからリード線Ｌ１，Ｌ２が取り出され、取り出されたリード線Ｌ１，Ｌ２が端子ボックスＢａ〜Ｂａの正極側及び負極側にそれぞれ接続される。かかる端子ボックスＢａ〜Ｂａにおいて、例えば、負極側が一方のケーブルＣａ１における単一の一方の電線Ｗａ（負極電線）に接続され、正極側が他方のケーブルＣａ２における単一の他方の電線Ｗｂ（正極電線）に接続される。そして、一方のケーブルＣａ１における単一の一方の電線Ｗａ（負極電線）と他方のケーブルＣａ２における単一の他方の電線Ｗｂ（正極電線）とがコネクタＣＮａを介して互いに接続される。
【００１２】
しかしながら、特許文献２，３に記載の端子ボックスでは、一方のケーブル及び他方のケーブルは、何れも単一（１芯）の電線を備えたものとなっており、太陽電池モジュールの並列接続に適した端子ボックスの構成については、十分な検討がなされていない。
【００１３】
そこで、本発明は、太陽電池モジュールの並列接続に適した端子ボックスの小型化を実現させることができる太陽電池モジュール用の端子ボックス、太陽電池モジュール及び太陽電池アレイを提供することを目的とする。
【課題を解決するための手段】
【００１４】
本発明は、前記課題を解決するために、次の太陽電池モジュール用の端子ボックス、太陽電池モジュール及び太陽電池アレイを提供する。
【００１５】
（１）太陽電池モジュール用の端子ボックス
本発明に係る太陽電池モジュール用の端子ボックスは、端子ボックス本体と、前記端子ボックス本体の一端部及び前記一端部とは反対側の他端部にそれぞれ正負一対の電線とを備えることを特徴とする。
【００１６】
（２）太陽電池モジュール
本発明に係る太陽電池モジュールは、太陽電池モジュール本体と端子ボックスとを備え、前記端子ボックスは、端子ボックス本体と、前記端子ボックス本体の一端部及び前記一端部とは反対側の他端部にそれぞれ正負一対の電線とを備えることを特徴とする。
【００１７】
（３）太陽電池アレイ
本発明に係る太陽電池アレイは、前記本発明に係る太陽電池モジュールを複数備え、一の太陽電池モジュールの前記正負一対の電線が隣接する他の太陽電池モジュールの前記正負一対の電線と電気的に接続されることにより前記複数の太陽電池モジュールが並列接続されていることを特徴とする。
【００１８】
本発明において、前記端子ボックス本体内に設けられた第１端子部材と前記第１端子部材とは極性の異なる第２端子部材とが積層構造とされている態様を例示できる。
【００１９】
本発明において、前記端子ボックス本体内に設けられ、かつ、前記第１端子部材と前記第２端子部材との間を電気的に絶縁するスペーサをさらに備えている態様を例示できる。
【００２０】
本発明において、前記端子ボックス本体の高さは、２０ｍｍ以下とされている態様を例示できる。
【００２１】
本発明において、前記端子ボックス本体内にダイオードをさらに備える態様を例示できる。
【００２２】
本発明において、前記太陽電池モジュールの太陽電池モジュール本体から取り出された一対のリード線のうちの一方のリード線に電気的に接続される一方のリード線接続部の接続位置及び前記一対のリード線のうちの他方のリード線に電気的に接続される他方のリード線接続部の接続位置が所定方向において揃うように構成されている態様を例示できる。
【００２３】
本発明において、前記太陽電池モジュールの太陽電池モジュール本体から取り出された一対のリード線のうちの少なくとも一方のリード線に電気的に接続されるリード線接続部の周縁部の少なくとも一部を囲むように突出した突出部が設けられている態様を例示できる。
【００２４】
本発明において、前記端子ボックス本体の一端部に一方のケーブルが接続され、かつ、前記一端部とは反対側の他端部に他方のケーブルが接続される構成とされており、前記一方のケーブル及び前記他方のケーブルは、何れも前記正負一対の電線を備える態様を例示できる。
【００２５】
本発明において、前記一方のケーブル及び前記他方のケーブルは、何れも前記正負一対の電線を一体化した２芯一体化ケーブルとされている態様を例示できる。
【００２６】
本発明において、前記２芯一体化ケーブルは、前記端子ボックス本体に接続される側とは反対側が１芯ケーブルずつに分岐されており、分岐側の２つの前記１芯ケーブルの端部には、一対のコネクタが設けられている態様を例示できる。
【００２７】
本発明において、前記端子ボックス本体内の端子部材と前記電線との接続部が充填剤で充填されている態様を例示できる。
【発明の効果】
【００２８】
本発明によると、太陽電池モジュールの並列接続に適した端子ボックスの小型化を実現させることができる。
【図面の簡単な説明】
【００２９】
【図１】本発明の実施の形態に係る太陽電池モジュール用の端子ボックスが設けられた複数の太陽電池モジュールの接続形態の一例を示す概念図である。
【図２】本発明の実施の形態に係る端子ボックスの一例を示す概略構成を示す正面図である。
【図３】図２に示す端子ボックスにおける端子ボックス本体部分の概略構成を示す分解斜視図である。
【図４】図２に示す端子ボックスにおける端子ボックス本体部分の概略構成図であって、（ａ）は、その正面図であり、（ｂ）は、その第一の側面図であり、（ｃ）は、その第二の側面図である。
【図５】図２に示す端子ボックス本体におけるボックス蓋の概略構成図であって、（ａ）は、その正面図であり、（ｂ）は、その第一の側面図であり、（ｃ）は、その第二の側面図である。
【図６】図２に示す端子ボックスにおける端子ボックス本体部分の概略断面図であって、（ａ）は、図４（ａ）に示すＡ−Ａ線に沿った断面図であり、（ｂ）は、図４（ａ）に示すＢ−Ｂ線に沿った断面図であり、（ｃ）は、図４（ａ）に示すＣ−Ｃ線に沿った断面図である。
【図７】図４に示す端子ボックス本体から取り外した第１端子部材、第２端子部材等の構成部材の概略構成を示す正面図である。
【図８】図４に示す端子ボックス本体から取り外した第１端子部材、第２端子部材等の構成部材の概略構成を示す斜視図である。
【図９】端子ボックス本体に設けられる第１端子部材の概略構成であって、（ａ）は、その正面図であり、（ｂ）は、その第一の側面図であり、（ｃ）は、その第二の側面図である。
【図１０】端子ボックス本体に設けられる第２端子部材の概略構成であって、（ａ）は、その正面図であり、（ｂ）は、その第一の側面図であり、（ｃ）は、その第二の側面図である。
【図１１】端子ボックス本体に設けられるスペーサの概略構成図であって、（ａ）は、その正面図であり、（ｂ）は、その第一の側面図であり、（ｃ）は、その斜視図であり、（ｄ）は、その第二の側面図である。
【図１２】端子ボックス本体に設けられる第３端子部材の概略構成図であって、（ａ）は、その正面図であり、（ｂ）は、その第一の側面図であり、（ｃ）は、その第二の側面図である。
【図１３】端子ボックス本体に設けられる固定部材の概略構成図であって、（ａ）は、その正面図であり、（ｂ）は、その第一の側面図であり、（ｃ）は、その斜視図であり、（ｄ）は、その第二の側面図である。
【図１４】図２に示す端子ボックスにおいて、２芯一体化ケーブルとされた一方のケーブル及び他方のケーブルにおける分岐部部分を示す概略構成図であって、（ａ）は、その左側面図であり、（ｂ）は、その正面図であり、（ｃ）は、その右側面図である。
【図１５】図２に示す端子ボックスにおいて、２芯一体化ケーブルとされた一方のケーブル及び他方のケーブルにおける分岐部部分を示す概略構成図であって、（ａ）は、その第一の側面図であり、（ｂ）は、図１４（ｂ）に示すＡ−Ａ線に沿った断面図である。
【図１６】図１４及び図１５に示す分岐部部分の斜視図であって、（ａ）は、分岐部部分を正面側から視た斜視図であり、（ｂ）は、分岐部部分を背面側から視た斜視図である。
【図１７】カバー部材のカバー蓋を取り外して内部構造を示す斜視図である。
【図１８】本発明の実施の形態に係る端子ボックスの他の例を示す概略構成図であって、（ａ）は、その正面図であり、（ｂ）は、その第一の側面図であり、（ｃ）は、その背面図である。
【図１９】図１８に示す端子ボックスにおける端子ボックス本体部分の概略構成図であって、（ａ）は、その正面図であり、（ｂ）は、その第一の側面図であり、（ｃ）は、その第二の側面図である。
【図２０】図１８に示す端子ボックス本体におけるボックス蓋の概略構成図であって、（ａ）は、その正面図であり、（ｂ）は、その第一の側面図である。
【図２１】図１８に示す端子ボックスにおける端子ボックス本体部分の概略断面図であって、（ａ）は、図１９（ａ）に示すＡ−Ａ線に沿った断面図であり、（ｂ）は、図１９（ａ）に示すＢ−Ｂ線に沿った断面図であり、（ｃ）は、図１９（ａ）に示すＣ−Ｃ線に沿った断面図であり、（ｄ）は、図１９（ａ）に示すＤ−Ｄ線に沿った断面図であり、（ｅ）は、図１９（ａ）に示すＥ−Ｅ線に沿った断面図である。
【図２２】図１８に示す端子ボックスにおいて、２芯一体化ケーブルとされた一方のケーブル及び他方のケーブルにおける分岐部部分を示す概略構成図であって、（ａ）は、その正面図であり、（ｂ）は、その第一の側面図であり、（ｃ）は、その背面図であり、（ｄ）は、その右側面図である。
【図２３】図１８に示す端子ボックスにおいて、２芯一体化ケーブルとされた一方のケーブル及び他方のケーブルにおける分岐部部分を示す概略構成図であって、（ａ）は、図２２（ａ）に示すＡ−Ａ線に沿った断面図であり、（ｂ）は、図２２（ａ）に示すＢ−Ｂ線に沿った断面図であり、（ｃ）は、図２２（ａ）に示すＣ−Ｃ線に沿った断面図であり、（ｄ）は、図２２（ａ）に示すＤ−Ｄ線に沿った断面図である。
【図２４】複数の太陽電池モジュールの接続形態の一例を模式的に示す概略構成図である。
【発明を実施するための形態】
【００３０】
以下、本発明に係る実施の形態について図面を参照しながら説明する。
【００３１】
［実施の形態１］
図１は、本発明の実施の形態に係る太陽電池モジュール用の端子ボックス１００が設けられた複数の太陽電池モジュールＭＯ〜ＭＯの接続形態の一例を示す概念図である。なお、図１では、端子ボックス１００〜１００が複数の太陽電池モジュール本体Ｍ〜Ｍの側面Ｍ１に設けられる例を示している。
【００３２】
図１に示すように、複数の太陽電池モジュールＭＯ〜ＭＯで太陽電池アレイ４００を構成している。各太陽電池モジュールＭＯ〜ＭＯは、太陽電池モジュール本体Ｍと端子ボックス１００とを備えている。
【００３３】
詳しくは、太陽電池アレイ４００は、太陽電池モジュールＭＯを複数備え、複数の太陽電池モジュールＭＯ〜ＭＯにおいて、一の太陽電池モジュールＭＯの正負一対の電線Ｗ１，Ｗ２が隣接する他の太陽電池モジュールＭＯの正負一対の電線Ｗ１，Ｗ２と電気的に接続されることにより複数の太陽電池モジュールＭＯ〜ＭＯが並列接続されている。なお、正負一対の電線は、以下、単に「一対の電線」という。
【００３４】
本発明の実施の形態に係る端子ボックス１００〜１００は、複数の太陽電池モジュール本体Ｍ〜Ｍを並列に接続可能な構成とされている。複数の太陽電池モジュールＭＯ〜ＭＯは、一対（２芯）の電線Ｗ１，Ｗ２を備えた一方のケーブル２１０及び一対（２芯）の電線Ｗ１，Ｗ２を備えた他方のケーブル２２０を介して並列に接続される。詳しくは、複数の太陽電池モジュール本体Ｍ〜Ｍからリード線Ｌ１，Ｌ２が取り出され、取り出されたリード線Ｌ１，Ｌ２のうち、正極側のリード線Ｌ１がダイオード１４０（この例ではブロックキングダイオード）を介して端子ボックス１００〜１００の正極側に接続され、負極側のリード線Ｌ２が端子ボックス１００〜１００の負極側に接続される。
【００３５】
かかる端子ボックス１００〜１００において、正極側及び負極側が一方のケーブル２１０における一対の電線（一方の電線Ｗ１（この例では正極電線）及び他方の電線Ｗ２（この例では負極電線））にそれぞれ接続され、かつ、他方のケーブル２２０における一対の電線（一方の電線Ｗ１（この例では正極電線）及び他方の電線Ｗ２（この例では負極電線））にそれぞれ接続される。そして、一方のケーブル２１０における一対の電線（一方の電線Ｗ１（この例では正極電線）及び他方の電線Ｗ２（この例では負極電線））と他方のケーブル２２０における一対の電線（一方の電線Ｗ１（この例では正極電線）及び他方の電線Ｗ２（この例では負極電線））とがコネクタ対３００，３００を介して互いに接続される。なお、複数の太陽電池モジュールＭＯ〜ＭＯは、何れも同一構成のものとされている。そして、本実施の形態に係る端子ボックス１００は、複数の太陽電池モジュール本体Ｍ〜Ｍを互いに接続して太陽電池モジュール用の電力ケーブル２００を構成することができる。
【００３６】
図２は、本発明の実施の形態に係る端子ボックス１００の一例を示す概略構成を示す正面図である。
【００３７】
図３は、図２に示す端子ボックス１００における端子ボックス本体１０１部分の概略構成を示す分解斜視図である。図４は、図２に示す端子ボックス１００における端子ボックス本体１０１部分の概略構成図である。図４（ａ）は、その正面図であり、図４（ｂ）は、その第一の側面図であり、図４（ｃ）は、その第二の側面図である。なお、図４では、ボックス蓋１０２を取り外した端子ボックス本体１０１の状態を示している。図５は、図２に示す端子ボックス本体１０１におけるボックス蓋１０２の概略構成図である。図５（ａ）は、その正面図であり、図５（ｂ）は、その第一の側面図であり、図５（ｃ）は、その第二の側面図である。
【００３８】
図６は、図２に示す端子ボックス１００における端子ボックス本体１０１部分の概略断面図である。図６（ａ）は、図４（ａ）に示すＡ−Ａ線に沿った断面図であり、図６（ｂ）は、図４（ａ）に示すＢ−Ｂ線に沿った断面図であり、図６（ｃ）は、図４（ａ）に示すＣ−Ｃ線に沿った断面図である。なお、図６では、ボックス蓋１０２を設けた状態を示している。
【００３９】
図７及び図８は、それぞれ、図４に示す端子ボックス本体１０１から取り外した第１端子部材１１０、第２端子部材１２０等の構成部材の概略構成を示す正面図及び斜視図である。
【００４０】
図９は、端子ボックス本体１０１に設けられる第１端子部材１１０の概略構成である。図９（ａ）は、その正面図であり、図９（ｂ）は、その第一の側面図であり、図９（ｃ）は、その第二の側面図である。図１０は、端子ボックス本体１０１に設けられる第２端子部材１２０の概略構成である。図１０（ａ）は、その正面図であり、図１０（ｂ）は、その第一の側面図であり、図１０（ｃ）は、その第二の側面図である。
【００４１】
図１１は、端子ボックス本体１０１に設けられるスペーサ１３０の概略構成図である。図１１（ａ）は、その正面図であり、図１１（ｂ）は、その第一の側面図であり、図１１（ｃ）は、その斜視図であり、図１１（ｄ）は、その第二の側面図である。図１２は、端子ボックス本体１０１に設けられる第３端子部材１５０の概略構成図である。図１２（ａ）は、その正面図であり、図１２（ｂ）は、その第一の側面図であり、図１２（ｃ）は、その第二の側面図である。また、図１３は、端子ボックス本体１０１に設けられる固定部材１６０の概略構成図である。図１３（ａ）は、その正面図であり、図１３（ｂ）は、その第一の側面図であり、図１３（ｃ）は、その斜視図であり、図１３（ｄ）は、その第二の側面図である。
【００４２】
本実施の形態に係る太陽電池モジュール用の端子ボックス１００は、端子ボックス本体１０１と、端子ボックス本体１０１の一端部１００ａ（図２、図３、図４（ａ）、図４（ｂ）及び図６（ａ）参照）及び一端部１００ａとは反対側の他端部１００ｂ（図２、図３、図４（ａ）、図４（ｂ）及び図６（ａ）参照）にそれぞれ接続された一対の電線（Ｗ１，Ｗ２），（Ｗ１，Ｗ２）（図２、図３、図４（ａ）及び図４（ｃ）参照）とを備えている。
【００４３】
詳しくは、端子ボックス１００は、一方のケーブル２１０及び他方のケーブル２２０（図２から図４及び図６（ａ）参照）と、端子ボックス本体１０１（図２から図４及び図６参照）とを備えている。
【００４４】
一方のケーブル２１０及び他方のケーブル２２０は、何れも一対の電線Ｗ１，Ｗ２を備えている。なお、一方のケーブル２１０及び他方のケーブル２２０としては、２本の１芯ケーブルがそれぞれ独立したケーブル対や、一対（２芯）の電線を一体化した２芯一体化ケーブルを用いることができる。この例では、一方のケーブル２１０及び他方のケーブル２２０は、一対（２芯）の電線を一体化した２芯一体化ケーブルとされている。一方のケーブル２１０及び他方のケーブル２２０は、一対の電線Ｗ１，Ｗ２部分が同一構成のものとされており、第１方向Ｘにおけるサイズ及び第２方向Ｙにおけるサイズが同一又は略同一とされている。
【００４５】
［端子ボックス本体部分について］
端子ボックス本体１０１は、一方のケーブル２１０を挿通する一方のケーブル挿通部１０１ａ（図４（ａ）及び図６（ａ）参照）、及び、他方のケーブル２２０を挿通する他方のケーブル挿通部１０１ｂ（図３及び図４（ａ）及び図６（ａ）参照）を有している。
【００４６】
詳しくは、端子ボックス１００は、端子ボックス本体１０１の一端部１００ａに一方のケーブル２１０が接続され、かつ、他端部１００ｂに他方のケーブル２２０が接続される構成とされている。端子ボックス本体１０１における一方のケーブル挿通部１０１ａは、一端部１００ａから一方のケーブル２１０を挿通する構成とされている。端子ボックス本体１０１における他方のケーブル挿通部１０１ｂは、他端部１００ｂから他方のケーブル２２０を挿通する構成とされている。この例では、一方のケーブル挿通部１０１ａ及び他方のケーブル挿通部１０１ｂは、何れも挿通孔とされており、一方のケーブル挿通部１０１ａの中心と他方のケーブル挿通部１０１ｂの中心とが挿通方向Ｚに沿った仮想直線上に並んでいる。
【００４７】
端子ボックス１００は、第１端子部材１１０（図３、図４（ａ）、図６、図７、図８及び図９参照）と、第１端子部材１１０とは極性の異なる第２端子部材１２０（図３、図４（ａ）、図６、図７、図８及び図１０参照）とをさらに備えている。
【００４８】
第１端子部材１１０及び第２端子部材１２０は、端子ボックス本体１０１内に設けられている。第１端子部材１１０と第２端子部材１２０とは積層構造とされている。
【００４９】
詳しくは、第１端子部材１１０は、端子ボックス本体１０１内に設けられ、かつ、端子ボックス本体１０１に挿通された一方のケーブル２１０の一対の電線Ｗ１，Ｗ２のうちの一方の電線Ｗ１に電気的に接続される一端子１１１（図３、図４（ａ）、図７、図８及び図９（ａ）及び図９（ｂ）参照）、及び、端子ボックス本体１０１に挿通された他方のケーブル２２０の一対の電線Ｗ１，Ｗ２のうちの一方の電線Ｗ１に電気的に接続される他端子１１２（図３、図４（ａ）、図７、図８及び図９参照）を有している。
【００５０】
第２端子部材１２０は、端子ボックス本体１０１内に設けられ、かつ、端子ボックス本体１０１に挿通された一方のケーブル２１０の一対の電線Ｗ１，Ｗ２のうちの他方の電線Ｗ２に電気的に接続される一端子１２１（図３、図４（ａ）、図７、図８及び図１０（ａ）及び図１０（ｂ）参照）、及び、端子ボックス本体１０１に挿通された他方のケーブル２２０の一対の電線Ｗ１，Ｗ２のうちの他方の電線Ｗ２に電気的に接続される他端子１２２（図３、図４（ａ）、図７、図８及び図１０参照）を有している。
【００５１】
第１端子部材１１０において、一端子１１１は、端子ボックス本体１０１の一端部１００ａから挿通された一方のケーブル２１０の一方の電線Ｗ１に電気的に接続され、他端子１１２は、端子ボックス本体１０１の他端部１００ｂから挿通された他方のケーブル２２０の一方の電線Ｗ１に電気的に接続される。第２端子部材１２０において、一端子１２１は、端子ボックス本体１０１の一端部１００ａから挿通された一方のケーブル２１０の他方の電線Ｗ２に電気的に接続され、他端子１２２は、端子ボックス本体１０１の他端部１００ｂから挿通された他方のケーブル２２０の他方の電線Ｗ２に電気的に接続される。この例では、第１端子部材１１０及び第２端子部材１２０は、何れも金属材料で構成されている。第１端子部材１１０及び第２端子部材１２０は、板状のものとされている。また、端子ボックス本体１０１は、樹脂材料で構成されている。
【００５２】
そして、端子ボックス１００は、一方側の一対の電線Ｗ１，Ｗ２及び他方の側の一対の電線Ｗ１，Ｗ２が設けられる方向（この例では挿通方向Ｚ）と、一対の電線Ｗ１，Ｗ２において一方の電線Ｗ１と他方の電線Ｗ２とが並設される方向（この例では第１方向Ｘ）との双方に交差（具体的には直交又は略直交）する方向（この例では第２方向Ｙ）に第１端子部材１１０と第２端子部材１２０とが積層されている。
【００５３】
本実施の形態では、端子ボックス１００において、一方のケーブル２１０の一対の電線Ｗ１，Ｗ２及び他方のケーブル２２０の一対の電線Ｗ１，Ｗ２は、何れも一方のケーブル２１０及び他方のケーブル２２０を挿通する挿通方向Ｚに交差（この例では直交又は略直交）する第１方向Ｘに並設されており、第１端子部材１１０及び第２端子部材１２０は、挿通方向Ｚ及び第１方向Ｘの双方に交差（この例では直交又は略直交）する第２方向Ｙに積層されている。詳しくは、一方のケーブル２１０は、一対の電線Ｗ１，Ｗ２の軸線間を結ぶ仮想直線が第１方向Ｘと平行又は略平行になるように端子ボックス本体１０１に挿通されており、他方のケーブル２２０は、一対の電線Ｗ１，Ｗ２の軸線間を結ぶ仮想直線が第１方向Ｘと平行又は略平行になるように端子ボックス本体１０１に挿通されている。第１端子部材１１０及び第２端子部材１２０は、第１方向Ｘ及び挿通方向Ｚの双方に平行又は略平行な所定の平面部分が第２方向Ｙに積層されている。ここで、挿通方向Ｚは、一方のケーブル２１０及び他方のケーブル２２０の長手方向（この例では端子ボックス本体１０１の長手方向）であり、詳しくは、一方のケーブル挿通部１０１ａの中心と他方のケーブル挿通部１０１ｂの中心とを結ぶ直線方向とされている。
【００５４】
具体的には、端子ボックス本体１０１は、一方向（この例では第２方向Ｙの一方側）が開放した６面体の箱形状を有している。また、端子ボックス本体１０１は、端子ボックス本体１０１の開放側を閉塞するボックス蓋１０２（図２、図３及び図５及び図６参照）を備えている。
【００５５】
ボックス蓋１０２は、端子ボックス本体１０１に対して凹凸係合されている。詳しくは、ボックス蓋１０２の外周部には、端子ボックス本体１０１と係合する複数の係合凸部１０２ａ〜１０２ａ（図３及び図５参照）が設けられている。この例では、複数の係合凸部１０２ａ〜１０２ａは、挿通方向Ｚにおけるボックス蓋１０２の両側に２箇所ずつ、第１方向Ｘにおけるボックス蓋１０２の片側に１箇所設けられている。また、端子ボックス本体１０１の開放側の内周部には、複数の係合凸部１０２ａ〜１０２ａとそれぞれ係合する複数の係合凹部１０１ｃ〜１０１ｃ（図３及び図４（ａ）参照）が複数の係合凸部１０２ａ〜１０２ａに対応した位置に設けられている。ボックス蓋１０２は、端子ボックス本体１０１の開放側に嵌め入れられて複数の係合凸部１０２ａ〜１０２ａが端子ボックス本体１０１における複数の係合凹部１０１ｃ〜１０１ｃとそれぞれ係合することより、端子ボックス本体１０１の開放側を閉塞する。この例では、ボックス蓋１０２は、樹脂材料で構成されている。
【００５６】
端子ボックス本体１０１は、挿通方向Ｚに長尺な形状とされている。端子ボックス本体１０１は、第１方向Ｘにおける一方の外面（設置面１０１ｄ）（図３、図４、図６参照）が太陽電池モジュール本体Ｍの側面Ｍ１（図１参照）に固定されるようになっている。
【００５７】
本実施の形態では、端子ボックス本体１０１の第２方向Ｙのサイズｄ１（図３参照）は、太陽電池モジュール本体Ｍの厚み以下（この例では太陽電池モジュール本体Ｍの厚み程度）とされている。ここで、第２方向Ｙは、太陽電池モジュール本体Ｍの厚み方向とされている。
【００５８】
第１端子部材１１０及び第２端子部材１２０は、挿通方向Ｚに延びかつ端子ボックス本体に挿通方向Ｚに沿って設けられている。
【００５９】
第１端子部材１１０における一端子１１１と他端子１１２とは、挿通方向Ｚに沿った仮想直線上に設けられている。第２端子部材１２０における一端子１２１と他端子１２２とは、挿通方向Ｚに沿った仮想直線上に設けられている。本実施の形態では、第１端子部材１１０における一端子１１１の接続位置及び第２端子部材１２０における一端子１２１の接続位置が第２方向Ｙにおいて揃う又は略揃うように構成されている（図８参照）。同様に、第１端子部材１１０における他端子１１２の接続位置及び第２端子部材１２０における他端子１２２の接続位置が第２方向Ｙにおいて揃う又は略揃うように構成されている（図８参照）。また、第１端子部材１１０における一端子１１１及び第２端子部材１２０における一端子１２１の挿通方向Ｚにおける外側端が挿通方向Ｚにおいて揃う又は略揃うように構成されている（図７及び図８参照）。第１端子部材１１０における他端子１１２及び第２端子部材１２０における他端子１２２の挿通方向Ｚにおける外側端が挿通方向Ｚにおいて揃う又は略揃うように構成されている（図７及び図８参照）。第１端子部材１１０及び第２端子部材１２０は、挿通方向Ｚにおけるサイズが同一又は略同一サイズとされている。
【００６０】
本実施の形態では、端子ボックス本体１０１の高さ（この例では第１方向Ｘにおけるサイズｄ２（図３参照））は、２０ｍｍ以下（好ましくは１５ｍｍ以下、より好ましくは１４ｍｍ以下）とされている。
【００６１】
端子ボックス本体１０１は、第２方向Ｙのサイズｄ１が第１方向Ｘにおけるサイズｄ２よりも小さくなっている。端子ボックス本体１０１の第２方向Ｙのサイズｄ１は、１０ｍｍ以下を例示でき、また、端子ボックス本体１０１の挿通方向Ｚのサイズは、１３０ｍｍ以下を例示できる。
【００６２】
本実施の形態では、端子ボックス１００は、端子ボックス本体１０１内に設けられ、かつ、第１端子部材１１０と第２端子部材１２０との間を電気的に絶縁するスペーサ１３０（図３、図４（ａ）、図６、図７、図８及び図１１参照）をさらに備えている。
【００６３】
スペーサ１３０は、第１端子部材１１０及び第２端子部材１２０を保持する保持部を備え、該保持部が絶縁部を兼ねている。
【００６４】
詳しくは、スペーサ１３０は、第１方向Ｘにおける一方の外側から第１方向Ｘにおける中央部１３０ａ（図３、図６（ｂ）、図７、図１１（ａ）及び図１１（ｃ）参照）に向けて第１端子部材１１０を挿通する第１挿通ガイド溝１３１（この例では挿通方向Ｚの両側における第１挿通ガイド溝１３１ａ，１３１ｂ）（図３、図７、図８及び図１１参照）と、第１端子部材１１０の第１方向Ｘにおける外側への移動を規制する第１規制部１３２（この例では挿通方向Ｚの両側における第１規制部１３２ａ，１３２ｂ）（図３、図７、図８、図１１（ａ）、図１１（ｃ）及び図１１（ｄ）参照）とを有している。第１挿通ガイド溝１３１は、挿通方向Ｚに沿って形成され、第１方向Ｘの外側かつ挿通方向Ｚの両端が開放されている。これにより、スペーサ１３０は、第１挿通ガイド溝１３１（１３１ａ，１３１ｂ）及び第１規制部１３２（１３２ａ，１３２ｂ）により第１端子部材１１０の第２方向Ｙの両側への移動及び第１方向Ｘの両側への移動を規制することができ、それだけ端子ボックス１００の組み立て作業性を向上させることができる。
【００６５】
また、スペーサ１３０は、第１方向Ｘにおける他方の外側から第１方向Ｘにおける中央部１３０ａに向けて第２端子部材１２０を挿通する第２挿通ガイド溝１３３（この例では挿通方向Ｚの他端部１００ｂ側における第２挿通ガイド溝）（図３、図７、図８及び図１１参照）と、第２端子部材１２０の第１方向Ｘにおける外側への移動を規制する第２規制部１３４（この例では挿通方向Ｚの両側における第２規制部１３４ａ，１３４ｂ）（図３、図７、図１１参照）とを有している。第２挿通ガイド溝１３３は、挿通方向Ｚに沿って形成され、第１方向Ｘの外側かつ挿通方向Ｚの両端が開放されている。これにより、スペーサ１３０は、第２挿通ガイド溝１３３及び第２規制部１３４（１３４ａ，１３４ｂ）により第２端子部材１２０の第２方向Ｙの両側への移動及び第１方向Ｘの両側への移動を規制することができ、それだけ端子ボックス１００の組み立て作業性を向上させることができる。
【００６６】
この例では、スペーサ１３０は、絶縁性に優れる樹脂材料（例えばＰＰＥ樹脂：ポリフェニレンエーテル樹脂）で構成されている。
【００６７】
具体的には、スペーサ１３０は、挿通方向Ｚに長尺な形状とされている。スペーサ１３０は、端子ボックス本体１０１内に確実に収まる程度に第１方向Ｘにおけるサイズｄ３（図１１（ａ）参照）が端子ボックス本体１０１の第１方向Ｘにおける内壁間のサイズよりも所定長さだけ（若干）小さいサイズとされ、挿通方向Ｚにおけるサイズが端子ボックス本体１０１の挿通方向Ｚにおける内壁間のサイズよりも所定長さだけ（若干）小さいサイズとされている。また、スペーサ１３０は、第２方向Ｙにおけるサイズ（厚み）ができるだけ薄くされており、第１端子部材１１０及び第２端子部材１２０（さらには後述する第３端子部材１５０）の絶縁性及び保持性を維持できる程度のサイズ（厚み及び形状）とされている。
【００６８】
また、スペーサ１３０には、端子ボックス本体１０１内で端子ボックス本体１０１に対して位置決めされる位置決め部１３５（図３、図６（ｂ）、図１１（ａ）及び図１１（ｃ）参照）が設けられている。また、端子ボックス本体１０１には、位置決め部１３５により第１方向Ｘ及び挿通方向Ｚにおけるスペーサ１３０の移動を規制する規制部１０３（図３及び図６（ｂ）参照）が位置決め部１３５を位置決めする位置に設けられている。これにより、端子ボックス１００の組み立て作業性を向上させることができる。この例では、位置決め部１３５（１３５ａ，１３５ｂ）は、スペーサ１３０の第１方向Ｘにおける両側において第２方向Ｙに貫通する一対の貫通孔とされている。また、規制部１０３（１０３ａ，１０３ｂ）は、端子ボックス本体１０１の側面の第１方向Ｘにおける両側において第２方向Ｙにおける内側に向けて突出する突出部とされている。規制部１０３（１０３ａ，１０３ｂ）の径は、位置決め部１３５を円滑に挿通できる程度に位置決め部１３５（１３５ａ，１３５ｂ）の径よりも所定長さだけ（若干）小さいサイズとされている。規制部１０３（１０３ａ，１０３ｂ）は、端子ボックス本体１０１に一体形成されている。
【００６９】
第１端子部材１１０には、スペーサ１３０に対して位置決めされる位置決め部１１３（図３、図６（ａ）及び図９参照）が設けられている。これにより、端子ボックス１００の組み立て作業性を向上させることができる。詳しくは、位置決め部１１３は、第１方向Ｘの一方側に突出した突出部とされており、スペーサ１３０における係止部１３０ｂ（図６（ａ）参照）に係止されるようになっている。これにより、第１端子部材１１０は、位置決め部１１３により挿通方向Ｚにおける移動を規制することができる。位置決め部１１３は、第１端子部材１１０に一体形成されている。
【００７０】
また、第１端子部材１１０における一端子１１１及び他端子１１２は、それぞれ、一方のケーブル２１０における一方の電線Ｗ１及び他方のケーブル２２０における一方の電線Ｗ１を圧着して固定するようになっている。この例では、一端子１１１及び他端子１１２と一方の電線Ｗ１及び一方の電線Ｗ１とをさらに半田により固定している。
【００７１】
第２端子部材１２０には、スペーサ１３０に対して位置決めされる位置決め部１２０ａ（図３及び図１０（ａ）参照）が設けられている。これにより、端子ボックス１００の組み立て作業性を向上させることができる。詳しくは、位置決め部１２０ａは、第１方向Ｘ及び挿通方向Ｚの双方に沿った板状部において第１方向Ｘと挿通方向Ｚとの間で９０度又は略９０度に湾曲した湾曲部とされており、スペーサ１３０における係止部１３７（図３及び図１１参照）に係止されるようになっている。これにより、第２端子部材１２０は、位置決め部１２０ａにより挿通方向Ｚにおける移動を規制することができる。
【００７２】
また、第２端子部材１２０における一端子１２１及び他端子１２２は、それぞれ、一方のケーブル２１０における他方の電線Ｗ２及び他方のケーブル２２０における他方の電線Ｗ２を圧着して固定するようになっている。この例では、一端子１２１及び他端子１２２と他方の電線Ｗ２及び他方の電線Ｗ２とをさらに半田により固定している。
【００７３】
本実施の形態では、端子ボックス１００は、端子ボックス本体１０１内に設けられるダイオード１４０（この例ではブロッキングダイオード）（図３、図４（ａ）、図６（ａ）、図７及び図８参照）をさらに備えている。
【００７４】
詳しくは、ダイオード１４０は、ダイオード本体１４１と、２つの端子１４２，１４３と、放熱部１４４とを備えている。
【００７５】
ダイオード本体１４１には、２つの端子１４２，１４３が同一方向に突出するように設けられており、２つの端子１４２，１４３が突出した方向とは反対側に放熱部１４４が設けられている。
【００７６】
ダイオード１４０は、２つの端子１４２，１４３が挿通方向Ｚにおける一方側（この例では一端部１００ａ側）に向く一方、放熱部１４４が挿通方向Ｚにおける他方側（この例では他端部１００ｂ側）に向くように端子ボックス本体１０１内（この例ではスペーサ１３０）に設けられている。具体的には、ダイオード１４０は、放熱部１４４に設けられた保持孔１４４ａ（図３、図６（ａ）及び図７参照）に、スペーサ１３０に設けられた突出部１３６（図３、図４（ａ）、図６（ａ）、図７、図８及び図１１参照）が貫通されて固定部１３６ａ（図４（ａ）、図７及び図８参照）によって固定されている。突出部１３６は、スペーサ１３０に一体形成されている。
【００７７】
端子ボックス本体１０１には、太陽電池モジュール本体Ｍ（図１参照）から取り出された一対のリード線Ｌ１，Ｌ２をそれぞれ挿通する一対のリード線挿通孔１０１ｅ，１０１ｆ（図３及び図４（ｂ）参照）が設けられている。一対のリード線挿通孔１０１ｅ，１０１ｆは、リード線Ｌ１，Ｌ２を円滑に挿通できる程度にリード線Ｌ１，Ｌ２の断面形状よりも所定の値だけ（若干）大きいサイズとされている。
【００７８】
第１端子部材１１０及び第２端子部材１２０のうち何れか一方（この例では第１端子部材１１０）は、端子ボックス本体１０１の一対のリード線挿通孔１０１ｅ，１０１ｆのうちの一方のリード線挿通孔１０１ｅから挿通された、一対のリード線Ｌ１，Ｌ２のうちの一方のリード線Ｌ１にダイオード１４０を介して電気的に接続される構成とされている。
【００７９】
第１端子部材１１０及び第２端子部材１２０のうち何れか他方（この例では第２端子部材１２０）は、端子ボックス本体１０１の一対のリード線挿通孔１０１ｅ，１０１ｆのうちの他方のリード線挿通孔１０１ｆから挿通された、一対のリード線Ｌ１，Ｌ２のうちの他方のリード線Ｌ２に電気的に接続される構成とされている。
【００８０】
詳しくは、端子ボックス１００は、端子ボックス本体１０１内に設けられる第３端子部材１５０（図３、図４（ａ）、図６（ａ）、図６（ｃ）、図７、図８及び図１２参照）をさらに備えている。この例では、第３端子部材１５０は、金属材料で構成されている。第３端子部材１５０は、板状のものとされている。そして、第１端子部材１１０、第２端子部材１２０及び第３端子部材１５０は、第２方向Ｙに積層されている。詳しくは、第１端子部材１１０、第２端子部材１２０及び第３端子部材１５０は、第１方向Ｘ及び挿通方向Ｚの双方に平行又は略平行な所定の平面部分が第２方向Ｙに積層されている。
【００８１】
第３端子部材１５０は、端子ボックス本体１０１の一方のリード線挿通孔１０１ｅから挿通された一方のリード線Ｌ１に電気的に接続される一方のリード線接続部１５１（図３、図４（ａ）中の斜線部、図６（ａ）、図６（ｃ）、図７、図８及び図１２参照）と、ダイオード１４０の一方の端子１４２（この例ではアノード側）に電気的に接続される一方のダイオード接続部１５２（図３、図８、図１２（ａ）及び図１２（ｂ）参照）とを有している。
【００８２】
第１端子部材１１０及び第２端子部材１２０のうち何れか一方（この例では第１端子部材１１０）は、ダイオード１４０の他方の端子１４３（この例ではカソード側）に電気的に接続される他方のダイオード接続部１１４（図３、図４（ａ）、図７、図８、図９（ａ）及び図９（ｂ）参照）を有している。
【００８３】
第１端子部材１１０及び第２端子部材１２０のうち何れか他方（この例では第２端子部材１２０）は、端子ボックス本体１０１の他方のリード線挿通孔１０１ｆから挿通された他方のリード線Ｌ２に電気的に接続される他方のリード線接続部１２３（図３、図４（ａ）中の斜線部、図６（ａ）、図７、図８及び図１０参照）を有している。
【００８４】
詳しくは、第３端子部材１５０における一方のダイオード接続部１５２は、ダイオード１４０の一方の端子１４２側に突出するように屈曲した屈曲凸部とされている。これにより、一方のダイオード接続部１５２とダイオード１４０の一方の端子１４２とを半田等の接続部材により電気的に接続し易くすることができる。
【００８５】
具体的には、第３端子部材１５０は、一方のダイオード接続部１５２が第１方向Ｘにおいて第２端子部材１２０における一端子１２１及び他端子１２２と同一又は略同一の位置であって第２方向Ｙにおいて第１端子部材１１０におけるダイオード接続部１１４と同一又は略同一の位置に位置しており、さらに、第１端子部材１１０における他方のダイオード接続部１１４と挿通方向Ｚにおいて同一又は略同一位置に位置している。第３端子部材１５０は、一方のダイオード接続部１５２から挿通方向Ｚの他端部１００ｂに向かって延び、途中で第２方向Ｙにおける端子ボックス本体１０１の開放側に変位するように屈曲し、さらに、第１方向Ｘにおいて第１端子部材１１０側に変位して一方のリード線接続部１５１を形成している。
【００８６】
第１端子部材１１０における他方のダイオード接続部１１４は、ダイオード１４０の他方の端子１４３側に突出するように屈曲した屈曲凸部とされている。これにより、他方のダイオード接続部１１４とダイオード１４０の他方の端子１４３とを半田等の接続部材により電気的に接続し易くすることができる。第１端子部材１１０は、挿通方向Ｚにおける両端部において第２方向Ｙにおける一方の電線Ｗ１（一方のケーブル２１０）及び一方の電線Ｗ１（他方のケーブル２２０）側に変位するように屈曲して一端子１１１及び他端子１１２を形成している。これにより、一端子１１１及び他端子１１２と一方の電線Ｗ１（一方のケーブル２１０）及び一方の電線Ｗ１（他方のケーブル２２０）との第２方向Ｙにおける接続位置を合わせることができる。
【００８７】
ここで、ダイオード１４０の２つの端子１４２，１４３をそれぞれ第３端子部材１５０における一方のダイオード接続部１５２及び第１端子部材１１０における他方のダイオード接続部１１４に接続する接続形態としては、それには限定されないが、例えば、半田付けによる接続形態、カシメによる接続形態、超音波による接続形態、或いは、これらの少なくとも二つを組み合わせた接続形態を例示できる。この例では、ダイオード１４０の２つの端子１４２，１４３と一方のダイオード接続部１５２及び他方のダイオード接続部１１４とをそれぞれ半田により接続している。
【００８８】
端子ボックス１００は、太陽電池モジュール本体Ｍから取り出された一対のリード線Ｌ１，Ｌ２のうちの一方のリード線Ｌ１に電気的に接続される一方のリード線接続部１５１の接続位置及び一対のリード線Ｌ１，Ｌ２のうちの他方のリード線Ｌ２に電気的に接続される他方のリード線接続部１２３の接続位置が所定方向（この例では第２方向Ｙ）において揃う又は略揃うように構成されている。
【００８９】
詳しくは、第２端子部材１２０における他方のリード線接続部１２３の接続位置は、第３端子部材１５０における一方のリード線接続部１５１の接続位置と第２方向Ｙにおいて同一又は略同一位置に位置している。すなわち、一方のリード線接続部１５１及び他方のリード線接続部１２３は、第２方向Ｙにおける接続位置が揃う又は略揃うように設けられている。
【００９０】
また、第２端子部材１２０における他方のリード線接続部１２３の接続位置は、第３端子部材１５０における一方のリード線接続部１５１の接続位置と第１方向Ｘにおいて同一又は略同一位置に位置している。すなわち、一方のリード線接続部１５１及び他方のリード線接続部１２３は、第１方向Ｘにおける接続位置が揃う又は略揃うように設けられている。具体的には、一方のリード線接続部１５１の接続位置及び他方のリード線接続部１２３の接続位置は、挿通方向Ｚに沿った仮想直線上に位置するように設けられている。
【００９１】
一対のリード線挿通孔１０１ｅ，１０１ｆは、挿通方向Ｚに沿って延びており、第２方向Ｙにおける挿通位置が揃う又は略揃うように設けられている。具体的には、一対のリード線挿通孔１０１ｅ，１０１ｆは、挿通方向Ｚに沿った仮想直線上に位置するように設けられている。一対のリード線挿通孔１０１ｅ，１０１ｆは、一対のリード線Ｌ１，Ｌ２が一方のリード線接続部１５１及び他方のリード線接続部１２３に当接しない程度に端子ボックス本体１０１の一方のリード線接続部１５１及び他方のリード線接続部１２３に対応する位置よりも第２方向Ｙに所定距離だけ（若干）離間した位置に形成されている。これにより、一対のリード線Ｌ１，Ｌ２をそれぞれ直線状の状態でそのまま一対のリード線挿通孔１０１ｅ，１０１ｆに挿通して一方のリード線接続部１５１及び他方のリード線接続部１２３にそれぞれ接続することができる。
【００９２】
本実施の形態では、第１端子部材１１０及び第２端子部材１２０のうち何れか一方（この例では第２端子部材１２０）の一端子１２１と他端子１２２とが挿通方向Ｚに沿った仮想直線上に設けられており、該一端子１２１と該他端子１２２との間には、該仮想直線上から退避するように予め定めた所定の方向（この例では挿通方向Ｚに沿った軸線回りの一方向に９０度又は略９０度）に折り曲げて形成された折り曲げ部１２４（図３、図４（ｂ）、図６（ｂ）、図７、図８及び図１０参照）が設けられている。
【００９３】
詳しくは、第２端子部材１２０は、他方のリード線接続部１２３から挿通方向Ｚの一端部１００ａ側で第２方向Ｙにおける他方の電線Ｗ２（一方のケーブル２１０）側に変位するように屈曲して一端子１２１を形成している。第２端子部材１２０は、他方のリード線接続部１２３から挿通方向Ｚの他端部１００ｂ側で第２方向Ｙにおいてダイオード１４０の２つの端子１４２，１４３よりも外側（端子ボックス本体１０１の開放側）に変位するように屈曲して端子ボックス本体１０１の一方の内壁（この例では設置面１０１ｄ側の内壁１０１ｇ）（図３、図４（ａ）、図６（ｂ）及び図６（ｃ）参照）に向けて９０度又は略９０度に転向する。第２端子部材１２０は、さらにダイオード１４０の２つの端子１４２，１４３及びスペーサ１３０を囲むように９０度又は略９０度に屈曲して折り曲げ部１２４を形成している。また、第２端子部材１２０は、折り曲げ部１２４が挿通方向Ｚの他端部１００ｂに向かって延び、途中で一端部１００ａ側の９０度又は略９０度に屈曲した側とは反対側でスペーサ１３０側に向けて再び９０度又は略９０度に屈曲して他方のリード線接続部１２３と平行又は略平行となる。第２端子部材１２０は、さらに挿通方向Ｚの他端部１００ｂに向かって延び、第２方向Ｙにおける他方の電線Ｗ２（他方のケーブル２２０）側に変位するように屈曲して他端子１１２を形成している。すなわち、折り曲げ部１２４は、ダイオード１４０及び第３端子部材１５０を避けるように形成されている。また、第２端子部材１２０は、挿通方向Ｚにおける両端部において第２方向Ｙにおける他方の電線Ｗ２（一方のケーブル２１０）及び他方の電線Ｗ２（他方のケーブル２２０）側に変位するように屈曲して一端子１２１及び他端子１２２を形成していることで、一端子１２１及び他端子１２２と他方の電線Ｗ２（一方のケーブル２１０）及び他方の電線Ｗ２（他方のケーブル２２０）との第２方向Ｙにおける接続位置を合わせることができる。
【００９４】
本実施の形態では、端子ボックス本体１０１の内壁（この例では設置面１０１ｄ側の内壁１０１ｇ）の折り曲げ部１２４に対応する部分には、窪み部又は貫通孔（この例では貫通孔１０１ｈ（図３、図４（ｂ）及び図６（ｂ）参照）が形成されている。折り曲げ部１２４は、端子ボックス本体１０１の内壁（この例では設置面１０１ｄの内壁１０１ｇ）における窪み部又は貫通孔（この例では貫通孔１０１ｈ）に入り込んだ状態で配線されている。この例では、折り曲げ部１２４は、端子ボックス本体１０１から外側には突き出さないようになっている。また、窪み部又は貫通孔（この例では貫通孔１０１ｈ）は、折り曲げ部１２４に対応した形状とされており、折り曲げ部１２４が円滑に入り込める程度に折り曲げ部１２４の形状より所定サイズだけ（若干）大きいサイズとされている。
【００９５】
ところで、本実施の形態のように、第１端子部材１１０、第２端子部材１２０及び第３端子部材１５０が込み入った配線形状になっている場合に、これらを複数の部材で形成すると、各部材間の接触部分や各部材の面積が小さくなった部分で電気抵抗が大きくなり易く、そうすると、比較的大きな電流を許容することが困難となる。この点、本実施の形態では、第１端子部材１１０、第２端子部材１２０及び第３端子部材１５０は、それぞれ、、金属板を切断加工及び曲げ加工により一体形成したものとされている。これにより、第１端子部材１１０、第２端子部材１２０及び第３端子部材１５０が込み入った配線形状になっても、電気抵抗が大きくなることを回避することができ、これにより、比較的大きな電流を許容することが可能となる。なお、第１端子部材１１０、第２端子部材１２０及び第３端子部材１５０の厚みは、同一又は略同一とされている。
【００９６】
スペーサ１３０は、第１端子部材１１０と第２端子部材１２０との間を電気的に絶縁することに加えて、第１端子部材１１０と第３端子部材１５０との間及び第２端子部材１２０と第３端子部材１５０との間を電気的に絶縁する構成とされている。
【００９７】
また、スペーサ１３０には、一方のリード線接続部１５１及び他方のリード線接続部１２３をそれぞれ載置する一対の載置部１３８，１３９（図３、図４（ａ）、図６（ａ）、図７、図８及び図１１参照）が設けられている。
【００９８】
一対の載置部１３８，１３９のうち、一方のリード線接続部１５１が載置される一方の載置部１３８は、挿通方向Ｚにおいて第１端子部材１１０の他端子１１２及び第２端子部材１２０の他端子１２２とダイオード１４０との間に設けられており、他方のリード線接続部１２３が載置される他方の載置部１３９は、挿通方向Ｚにおいて第１端子部材１１０の一端子１１１及び第２端子部材１２０の一端子１２１とダイオード１４０との間に設けられている。
【００９９】
本実施の形態では、端子ボックス本体１０１において、太陽電池モジュール本体Ｍから取り出された一対のリード線Ｌ１，Ｌ２のうちの少なくとも一方のリード線（Ｌ１及び／又はＬ２）に電気的に接続されるリード線接続部（１５１及び／又は１２３）の周縁部の少なくとも一部を囲むように突出した突出部（１３８ａ及び／又は１３９ａ）が設けられている。
【０１００】
この例では、端子ボックス本体１０１において、一方のリード線接続部１５１の周縁部の少なくとも一部を囲むように一方のリード線接続部１５１の厚みより突出した一方の突出部１３８ａ（図３、図４（ａ）、図７、図８及び図１１参照）と、他方のリード線接続部１２３の周縁部の少なくとも一部を囲むように他方のリード線接続部１２３の厚みより突出した他方の突出部１３９ａ（図３、図４（ａ）、図７、図８及び図１１（ａ）から図１１（ｃ）参照）とが設けられている。この例では、一方の突出部１３８ａと他方の突出部１３９ａとはスペーサ１３０に設けられている。
【０１０１】
詳しくは、一方の突出部１３８ａは、一方の載置部１３８の周縁部において一方の載置部１３８に載置された一方のリード線接続部１５１の外周部に沿って直線状に設けられており、他方の突出部１３９ａは、他方の載置部１３９の周縁部において他方の載置部１３９に載置された他方のリード線接続部１２３の外周部に沿って直線状に設けられている。一方の突出部１３８ａ及び他方の突出部１３９ａは、スペーサ１３０に一体形成されている。
【０１０２】
なお、本実施の形態では、一方のケーブル２１０の一対の電線Ｗ１，Ｗ２及び他方のケーブル２２０の一対の電線Ｗ１，Ｗ２を何れも第１方向Ｘに並設し、第１端子部材１１０及び第２端子部材１２０（さらには第３端子部材１５０）を第２方向Ｙに積層するようにしたが、それに限定されるものではない。
【０１０３】
本実施の形態では、端子ボックス１００は、端子ボックス本体１０１内に設けられ、かつ、一方のケーブル２１０の挿通部（この例では一対の電線Ｗ１，Ｗ２）及び他方のケーブル２２０の挿通部（この例では一対の電線Ｗ１，Ｗ２）をそれぞれ端子ボックス本体１０１に固定する一対の固定部材１６０，１６０（図３、図４（ａ）、図６（ａ）及び図１３参照）をさらに備えている。
【０１０４】
詳しくは、一対の固定部材１６０，１６０は、端子ボックス本体１０１に対して一対の電線Ｗ１，Ｗ２をそれぞれ圧接する一対の圧接部１６１，１６２（図３及び図１３（ｂ）から図１３（ｄ）参照）を備えている。この例では、固定部材１６０は、樹脂材料で構成されている。
【０１０５】
具体的には、端子ボックス本体１０１の一端部１００ａには、一方の固定部材１６０の挿通方向Ｚにおける他端部１００ｂ側への移動を規制する規制部１０１ｉ，１０１ｉ（図３及び図４（ａ）参照）が設けられている。また、一方の固定部材１６０は、端子ボックス本体１０１内に確実に収まる程度に挿通方向Ｚのサイズが規制部１０１ｉ，１０１ｉと端子ボックス本体１０１の挿通方向Ｚにおける一端部１００ａ側の内壁との間の距離よりも所定長さだけ（若干）小さいサイズとされている。これにより、端子ボックス本体１０１は、規制部１０１ｉ，１０１ｉと端子ボックス本体１０１の挿通方向Ｚにおける一端部１００ａ側の内壁との間で一方の固定部材１６０の挿通方向Ｚにおける両側の移動を規制することができる。また、一方の固定部材１６０は、端子ボックス本体１０１内に確実に収まる程度に第１方向Ｘのサイズが端子ボックス本体１０１の第１方向Ｘにおける両内壁との間の距離よりも所定長さだけ（若干）小さいサイズとされている。これにより、端子ボックス本体１０１は、端子ボックス本体１０１の第１方向Ｘにおける両内壁との間で一方の固定部材１６０の第１方向Ｘにおける両側の移動を規制することができる。
【０１０６】
また、端子ボックス本体１０１の他端部１００ｂには、他方の固定部材１６０の挿通方向Ｚにおける一端部１００ａ側への移動を規制する規制部１０１ｊ，１０１ｊ（図３及び図４（ａ）参照）が設けられている。また、他方の固定部材１６０は、端子ボックス本体１０１内に確実に収まる程度に挿通方向Ｚのサイズが規制部１０１ｊ，１０１ｊと端子ボックス本体１０１の挿通方向Ｚにおける他端部１００ｂ側の内壁との間の距離よりも所定長さだけ（若干）小さいサイズとされている。これにより、端子ボックス本体１０１は、規制部１０１ｊ，１０１ｊと端子ボックス本体１０１の挿通方向Ｚにおける他端部１００ｂ側の内壁との間で他方の固定部材１６０の挿通方向Ｚにおける両側の移動を規制することができる。また、一方の固定部材１６０は、端子ボックス本体１０１内に確実に収まる程度に第１方向Ｘのサイズが端子ボックス本体１０１の第１方向Ｘにおける両内壁との間の距離よりも所定長さだけ（若干）小さいサイズとされている。これにより、端子ボックス本体１０１は、端子ボックス本体１０１の第１方向Ｘにおける両内壁との間で他方の固定部材１６０の第１方向Ｘにおける両側の移動を規制することができる。
【０１０７】
一対の圧接部１６１，１６２は、一対の電線Ｗ１，Ｗ２をそれぞれ覆うように第２方向Ｙにおける端子ボックス本体１０１の開放側から被せる逆Ｕ字状の凹部形状を有している。一対の圧接部１６１，１６２は、第２方向Ｙにおいて凹部形状の開放端から開放端とは反対側に向かうに従って、第１方向Ｘのサイズが次第に小さくなっている。
【０１０８】
これにより、一対の固定部材１６０，１６０は、一対の電線Ｗ１，Ｗ２に対して一対の圧接部１６１，１６２をそれぞれ覆うように被せて第２方向Ｙの一対の電線Ｗ１，Ｗ２側に押圧することで、一対の圧接部１６１，１６２により一対の電線Ｗ１，Ｗ２を挟持しつつ端子ボックス本体１０１に確実に固定することができる。
【０１０９】
また、一対の固定部材１６０，１６０には、第２方向Ｙに貫通する貫通孔１６０ａ，１６０ａ（図３、図４（ａ）及び図１３（ａ）から図１３（ｃ）参照）が設けられている。端子ボックス本体１０１の一端部１００ａ及び他端部１００ｂには、第２方向Ｙの開放側に突出した突出部１０１ｋ，１０１ｋ（図３及び図４（ａ）参照）が設けられている。一対の固定部材１６０，１６０は、貫通孔１６０ａ，１６０ａが端子ボックス本体１０１の一端部１００ａ及び他端部１００ｂにおける突出部１０１ｋ，１０１ｋに挿通されて所定の固定手段（この例では接着剤）によって固定される。これにより、一対の電線Ｗ１，Ｗ２を挟持した一対の固定部材１６０，１６０を端子ボックス本体１０１に対して固定することができる。
【０１１０】
また、端子ボックス本体１０１には、充填剤を投入したときに端子ボックス本体１０１内の空気を逃すエア抜き孔（この例ではリード線挿通孔１０１ｅ，１０１ｆや貫通孔１０１ｈ）が設けられている。
【０１１１】
そして、端子ボックス１００では、前記した各構成部材が組み付けられ、太陽電池モジュール本体Ｍのリード線Ｌ１，Ｌ２が一方のリード線接続部１５１及び他方のリード線接続部１２３にそれぞれ接続され、端子ボックス本体１０１内に充填剤が投入されて充填され、さらに端子ボックス本体１０１にボックス蓋１０２が装着される。
【０１１２】
本実施の形態では、端子ボックス１００は、端子ボックス本体１０１に隣接して設けられて一方のケーブル２１０及び他方のケーブル２２０をシールするシール部材１７０，１７０（図２、図３、図４及び図６（ａ）参照）をさらに備えている。これにより、一方のケーブル２１０及び他方のケーブル２２０における端子ボックス本体１０１の近傍部分の強度を向上させることができる。シール部材１７０としては、例えば、接着剤を設けた収縮チューブ（所謂接着剤付き収縮チューブ）を用いることができる。
【０１１３】
［ケーブル部分について］
端子ボックス１００において、一方のケーブル２１０及び他方のケーブル２２０は、既述のとおり、何れも２芯一体化ケーブルとされているが、本実施の形態では、端子ボックス本体１０１に接続される側とは反対側が１芯ケーブルずつに分割されるように二股に分岐されており、分岐側の２つの１芯ケーブル（２１１，２１２），（２２１，２２２）（図２参照）の端部には、コネクタ対３００，３００（図２参照）が設けられている。コネクタ対３００は、一方のコネクタ３０１（この例では雄コネクタ）及び他方のコネクタ３０２（この例では雌コネクタ）で構成されている。一方のケーブル２１０及び他方のケーブル２２０における一方の１芯ケーブル２１１，２２１は、一方の電線Ｗ１を備えている。一方のケーブル２１０及び他方のケーブル２２０における他方の１芯ケーブル２１２，２２２は、他方の電線Ｗ２を備えている。
【０１１４】
詳しくは、一方のケーブル２１０に設けられた一対のコネクタ３０１，３０２と他方のケーブル２２０に設けられた一対のコネクタ３０２，３０１とは接続可能な構成とされている。
【０１１５】
また、端子ボックス１００は、一方のケーブル２１０における一方の１芯ケーブル２１１と他方のケーブル２２０における一方の１芯ケーブル２２１とを接続する構成とされ、かつ、一方のケーブル２１０における他方の１芯ケーブル２１２と他方のケーブル２２０における他方の１芯ケーブル２２２とを接続する構成とされており、一方のケーブル２１０における一方の１芯ケーブル２１１には、一対のコネクタ３０１，３０２のうちの一方のコネクタ３０１が設けられ、かつ、一方のケーブル２１０における他方の１芯ケーブル２１２には、一対のコネクタ３０１，３０２のうちの他方のコネクタ３０２が設けられている。他方のケーブル２２０における一方の１芯ケーブル２２１には、一対のコネクタ３０１，３０２のうちの他方のコネクタ３０２が設けられ、かつ、他方のケーブル２２０における他方の１芯ケーブル２２２には、一対のコネクタ３０１，３０２のうちの一方のコネクタ３０１が設けられている。一方のケーブル２１０における一方のコネクタ３０１と他方のコネクタ３０２とはコネクタ形状が異なっており、他方のケーブル２２０における一方のコネクタ３０１と他方のコネクタ３０２とはコネクタ形状が異なっている。
【０１１６】
本実施の形態では、一方のケーブル２１０における一対のコネクタ３０１，３０２と、他方のケーブル２２０における一対のコネクタ３０１，３０２とは同一タイプのものとされている。
【０１１７】
本実施の形態では、２芯一体化ケーブルとされた一方のケーブル２１０の分割された一方の１芯ケーブル２１１と他方の１芯ケーブル２１２との長さが異なっている。また、２芯一体化ケーブルとされた他方のケーブル２２０の分割された一方の１芯ケーブル２２１と他方の１芯ケーブル２２２との長さが異なっている。
【０１１８】
詳しくは、端子ボックス１００は、一方のケーブル２１０の短い方の１芯ケーブル２１１と他方のケーブル２２０の長い方の１芯ケーブル２２１とが接続可能とされ、かつ、一方のケーブル２１０の長い方の１芯ケーブル２１２と他方のケーブル２２０の短い方の１芯ケーブル２２２とが接続可能とされている。そして、一方のケーブル２１０の短い方の１芯ケーブル２１１と他方のケーブル２２０の長い方の１芯ケーブル２２１とが接続されたときの短い方の１芯ケーブル２１１と長い方の１芯ケーブル２２１との合計の長さと、一方のケーブル２１０の長い方の１芯ケーブル２１２と他方のケーブル２２０の短い方の１芯ケーブル２２２とが接続されたときの長い方の１芯ケーブル２１２と短い方の１芯ケーブル２２２との合計の長さとが等しい又は略等しくなっている。換言すれば、端子ボックス１００は、一方のケーブル２１０の短い方の１芯ケーブル２１１と他方のケーブル２２０の短い方の１芯ケーブル２２２との長さが等しい又は略等しい、かつ、一方のケーブル２１０の長い方の１芯ケーブル２１２と他方のケーブル２２０の長い方の１芯ケーブル２２１との長さが等しい又は略等しくなっている。
【０１１９】
また、本実施の形態では、一方のケーブル２１０の短い方の１芯ケーブル２１１に設けられたコネクタ３０１のコネクタ形状と他方のケーブル２２０の短い方の１芯ケーブル２２２に設けられたコネクタ３０１のコネクタ形状とは同一形状とされ、かつ、一方のケーブル２１０の長い方の１芯ケーブル２１２に設けられたコネクタ３０２のコネクタ形状と他方のケーブル２２０の長い方の１芯ケーブル２２１に設けられたコネクタ３０２のコネクタ形状とが同一形状とされている。
【０１２０】
また、本実施の形態では、２芯一体化ケーブルとされた一方のケーブル２１０の分割された一方の１芯ケーブル２１１と他方の１芯ケーブル２１２との配色が異なっている。２芯一体化ケーブルとされた他方のケーブル２２０の分割された一方の１芯ケーブル２２１と他方の１芯ケーブル２２２との配色が異なっている。詳しくは、一方のケーブル２１０の一方の１芯ケーブル２１１と他方のケーブル２２０の一方の１芯ケーブル２２１とは同色となっており、一方のケーブル２１０の他方の１芯ケーブル２１２と他方のケーブル２２０の他方の１芯ケーブル２２２とは同色となっている。
【０１２１】
図１４及び図１５は、図２に示す端子ボックス１００において、２芯一体化ケーブルとされた一方のケーブル２１０及び他方のケーブル２２０における分岐部２３０部分を示す概略構成図である。図１４（ａ）は、その左側面図であり、図１４（ｂ）は、その正面図であり、図１４（ｃ）は、その右側面図である。図１５（ａ）は、その第一の側面図であり、図１５（ｂ）は、図１４（ｂ）に示すＡ−Ａ線に沿った断面図である。また、図１６は、図１４及び図１５に示す分岐部２３０部分の斜視図である。図１６（ａ）は、分岐部２３０部分を正面側から視た斜視図であり、図１６（ｂ）は、分岐部２３０部分を背面側から視た斜視図である。図１７は、カバー部材２４０のカバー蓋２４２を取り外して内部構造を示す斜視図である。なお、図１４から図１７において、一方のケーブル２１０及び他方のケーブル２２０は１つの図で示している。
【０１２２】
図１４から図１７に示すように、端子ボックス１００は、２芯一体化ケーブルとされた一方のケーブル２１０及び他方のケーブル２２０の分岐部２３０に設けられて分岐部２３０の全体を覆うカバー部材２４０をさらに備えている。ここで、分岐部２３０は、２芯一体化ケーブル２１０ａ，２２０ａに対して一方の１芯ケーブル２１１，２２１と他方の１芯ケーブル２１２，２２２とが分岐している付け根の部分である。
【０１２３】
詳しくは、一方のケーブル２１０のカバー部材２４０は、一端部に一方のケーブル２１０の２芯一体化ケーブル２１０ａを挿通し、かつ、一端部とは反対側の他端部に一方の１芯ケーブル２１１及び他方の１芯ケーブル２１２を挿通する構成とされている。他方のケーブル２２０のカバー部材２４０は、一端部に他方のケーブル２２０の２芯一体化ケーブル２２０ａを挿通し、かつ、一端部とは反対側の他端部に一方の１芯ケーブル２２１及び他方の１芯ケーブル２２２を挿通する構成とされている。
【０１２４】
カバー部材２４０は、カバー本体２４１を備えている。カバー本体２４１は、一端部から２芯一体化ケーブル２１０ａ，２２０ａを挿通する第１挿通部２４１ａと、他端部から一方の１芯ケーブル２１１，２２１及び他方の１芯ケーブル２１２，２２２をそれぞれ挿通する第２挿通部２４１ｂ及び第３挿通部２４１ｃとを有している。
【０１２５】
一方の１芯ケーブル２１１，２２１及び他方の１芯ケーブル２１２，２２２は、２芯一体化ケーブル２１０ａ，２２０ａ、一方の１芯ケーブル２１１，２２１及び他方の１芯ケーブル２１２，２２２を挿通する挿通方向Ｚに交差（この例では直交又は略直交）する第１方向Ｘに並設されている。第１挿通部２４１ａは、第１方向Ｘにおいて一方の１芯ケーブル２１１，２２１と他方の１芯ケーブル２１２，２２２との間（この例では中央部）に位置している。
【０１２６】
具体的には、分岐部２３０における形状は、正面から視てＹ字型の形状とされており、カバー部材２４０は、正面から視てＹ字型の形状に合わせた形状とされている。
【０１２７】
カバー本体２４１は、一方向（例えば第１方向Ｘ及び挿通方向Ｚの双方に交差（この例では直交又は略直交）する第２方向Ｙの一方側）が開放した６面体の箱形状において第１方向Ｘのサイズを２芯一体化ケーブル２１０ａ，２２０ａ側に行くに従って小さくした形状とされている。また、カバー本体２４１は、カバー本体２４１の開放側を閉塞するカバー蓋２４２を備えている。
【０１２８】
カバー蓋２４２は、正面視の形状がカバー本体２４１の正面視の形状に合わせた形状とされており、カバー本体２４１に対して所定の固定手段（例えば接着剤）によって固定されている。
【０１２９】
本実施の形態では、端子ボックス１００は、カバー部材２４０に隣接して設けられて２芯一体化ケーブル２１０ａ，２２０ａ、一方の１芯ケーブル２１１，２２１及び他方の１芯ケーブル２１２，２２２をシールするシール部材２５０〜２５０をさらに備えている。これにより、カバー部材２４０を２芯一体化ケーブル２１０ａ，２２０ａ、一方の１芯ケーブル２１１，２２１及び他方の１芯ケーブル２１２，２２２の分岐部２３０に確実に固定することができる。シール部材２５０としては、例えば、接着剤を設けた収縮チューブ（所謂接着剤付き収縮チューブ）を用いることができる。
【０１３０】
本実施の形態では、カバー本体２４１は、カバー本体２４１内に侵入した水を逃す複数の水抜き孔２４１ｇ〜２４１ｇ（図１４（ｂ）及び図１６（ｂ）参照）をさらに有している。水抜き孔２４１ｇ〜２４１ｇは、背面側に設けられている。水抜き孔２４１ｇ〜２４１ｇは、２芯一体化ケーブル２１０ａ，２２０ａ、一方の１芯ケーブル２１１，２２１及び他方の１芯ケーブル２１２，２２２に対応した位置に設けられている。水抜き孔２４１ｇ〜２４１ｇは、挿通方向Ｚの両端部に設けられている。
【０１３１】
本実施の形態では、一方のケーブル２１０において分岐部２３０の近傍（所定距離だけ離れた位置）には、一方の１芯ケーブル２１１同士を電気的に接続した一方の接続部２０１（図１４（ｂ）参照）と、他方の１芯ケーブル２１２同士を電気的に接続した他方の接続部２０２（図１４（ｂ），図１５（ａ）参照）とが設けられている。他方のケーブル２２０において分岐部２３０の近傍（所定距離だけ離れた位置）には、一方の１芯ケーブル２２１同士を電気的に接続した一方の接続部２０１と、他方の１芯ケーブル２２２同士を電気的に接続した他方の接続部２０２とが設けられている。この例では、一方の接続部２０１及び他方の接続部２０２は、何れも圧着端子により圧着されて接続されている。
【０１３２】
そして、カバー部材２４０は、一方の接続部２０１及び他方の接続部２０２を含めた分岐部２３０の全体を覆う構成とされている。
【０１３３】
本実施の形態では、端子ボックス１００は、一方の接続部２０１及び他方の接続部２０２をシールするシール部材２６０〜２６０（図１７参照）をさらに備えている。これにより、一方の接続部２０１と他方の接続部２０２とを確実に絶縁することができる。シール部材２６０としては、例えば、接着剤を設けた収縮チューブ（所謂接着剤付き収縮チューブ）を用いることができる。
【０１３４】
本実施の形態では、端子ボックス１００は、シール部材２６０〜２６０の挿通方向Ｚにおける両端部をシールするシール部材２７０〜２７０（図１７参照）をさらに備えている。これにより、一方の接続部２０１及び他方の接続部２０２への水の浸入を効果的に防止することができる。シール部材２７０としては、例えば、止水材を用いることができる。
【０１３５】
本実施の形態では、カバー本体２４１は、一方の接続部２０１及び他方の接続部２０２を基準にした一方の１芯ケーブル２１１，２２１及び他方の１芯ケーブル２１２，２２２の一方側をカバー本体２４１に固定する第１固定部材２４１ｅ（図１７参照）と、一方の接続部２０１及び他方の接続部２０２を基準にした一方の１芯ケーブル２１１，２２１及び他方の１芯ケーブル２１２，２２２の他方側をカバー本体２４１に固定する第２固定部材２４１ｆ（図１７参照）とをさらに有している。
【０１３６】
第１固定部材２４１ｅ及び第２固定部材２４１ｆには、第２方向Ｙに沿って延びる一対のスリットＳ，Ｓ（図１７参照）が形成されている。第１固定部材２４１ｅは、一対のスリットＳ，Ｓに一方の１芯ケーブル２１１，２２１及び他方の１芯ケーブル２１２，２２２の一方側をそれぞれ挟持することで、一方の１芯ケーブル２１１，２２１及び他方の１芯ケーブル２１２，２２２の一方側をカバー本体２４１に確実に固定することができる。第２固定部材２４１ｆは、一対のスリットＳ，Ｓに一方の１芯ケーブル２１１，２２１及び他方の１芯ケーブル２１２，２２２の他方側をそれぞれ挟持することで、一方の１芯ケーブル２１１，２２１及び他方の１芯ケーブル２１２，２２２の他方側をカバー本体２４１に確実に固定することができる。第１固定部材２４１ｅ及び第２固定部材２４１ｆは、カバー本体２４１に一体形成されている。
【０１３７】
［実施の形態２］
図１８は、本発明の実施の形態に係る端子ボックス１００の他の例を示す概略構成図である。図１８（ａ）は、その正面図であり、図１８（ｂ）は、その第一の側面図であり、図１８（ｃ）は、その背面図である。図１９は、図１８に示す端子ボックス１００における端子ボックス本体１０１部分の概略構成図である。図１９（ａ）は、その正面図であり、図１９（ｂ）は、その第一の側面図であり、図１９（ｃ）は、その第二の側面図である。なお、図１８及び図１９では、ボックス蓋１０２を取り外した端子ボックス本体１０１の状態を示している。
【０１３８】
図２０は、図１８に示す端子ボックス本体１０１におけるボックス蓋１０２の概略構成図である。図２０（ａ）は、その正面図であり、図２０（ｂ）は、その第一の側面図である。
【０１３９】
図２１は、図１８に示す端子ボックス１００における端子ボックス本体１０１部分の概略断面図である。図２１（ａ）は、図１９（ａ）に示すＡ−Ａ線に沿った断面図であり、図２１（ｂ）は、図１９（ａ）に示すＢ−Ｂ線に沿った断面図であり、図２１（ｃ）は、図１９（ａ）に示すＣ−Ｃ線に沿った断面図であり、図２１（ｄ）は、図１９（ａ）に示すＤ−Ｄ線に沿った断面図であり、図２１（ｅ）は、図１９（ａ）に示すＥ−Ｅ線に沿った断面図である。
【０１４０】
図２２及び図２３は、図１８に示す端子ボックス１００において、２芯一体化ケーブルとされた一方のケーブル２１０及び他方のケーブル２２０における分岐部２３０部分を示す概略構成図である。図２２（ａ）は、その正面図であり、図２２（ｂ）は、その第一の側面図であり、図２２（ｃ）は、その背面図であり、図２２（ｄ）は、その右側面図である。図２３（ａ）は、図２２（ａ）に示すＡ−Ａ線に沿った断面図であり、図２３（ｂ）は、図２２（ａ）に示すＢ−Ｂ線に沿った断面図であり、図２３（ｃ）は、図２２（ａ）に示すＣ−Ｃ線に沿った断面図であり、図２３（ｄ）は、図２２（ａ）に示すＤ−Ｄ線に沿った断面図である。なお、図２２及び図２３において、一方のケーブル２１０及び他方のケーブル２２０は１つの図で示している。
【０１４１】
図１８から図２３に示す実施の形態２に係る端子ボックス１００において、図２から図１７に示す実施の形態１に係る端子ボックス１００と実質的に同じ構成には、同一符号を付し、その説明を省略する。
【０１４２】
実施の形態２に係る端子ボックス１００は、図２から図１７に示す端子ボックス１００とは、端子ボックス本体１０１内に仕切部１８０，１８０が設けられる点（１８（ａ）、図１９（ａ）、図２１（ａ）、図２１（ｅ）参照）、及び、第２端子部材１２０における折り曲げ部１２４を入れ込むことに加えて端子ボックス本体１０１に充填剤を投入したときに空気を逃すエア抜き孔としても作用する貫通孔１０１ｈ（図３、図４（ｂ）及び図６（ｂ）参照）が設けられていない点（図１８（ｂ）、図１９（ｂ）参照）で異なっている。
【０１４３】
実施の形態２に係る端子ボックス１００は、端子ボックス本体１０１内に設けられる１又は複数（この例では２つ）の仕切部１８０，１８０をさらに備えている。
【０１４４】
仕切部１８０，１８０は、端子ボックス本体１０１内で、端子部材（この例では第１端子部材１１０及び第２端子部材１２０）及び電線Ｗ１，Ｗ２の接続部１９０，１９０（図１８（ａ）、図１９（ａ）、図２１（ａ）参照）と、電線Ｗ１，Ｗ２が設けられる方向（この例では挿通方向Ｚ）において接続部１９０，１９０よりも内側に位置する内側部α（図１８（ａ）、図１９（ａ）、図２１（ａ）参照）（中央部）とを仕切る。
【０１４５】
詳しくは、一方側の仕切部１８０及び他方側の仕切部１８０は、第１方向Ｘ及び第２方向Ｙの双方に沿った板状の仕切板とされている。一方側の仕切部１８０及び他方側の仕切部１８０は、第二の側面から視た形状が端子ボックス本体１０１の内壁を構成する形状と同様の形状とされている。一方側の仕切部１８０及び他方側の仕切部１８０は、端子ボックス本体１０１の内壁に密着した状態で取り付けられる。一方側の仕切部１８０及び他方側の仕切部１８０は、挿通方向Ｚにおいて、端子ボックス本体１０１の端部（この例では両端部）から接続部１９０，１９０を含む予め定めた所定の距離だけ内側の位置に設けられている。この例では、仕切部１８０，１８０は、接続部１９０，１９０とスペーサ１３０における一対の載置部１３８，１３９との間に設けられている。仕切部１８０，１８０は、樹脂材料で形成されている。
【０１４６】
端子ボックス本体１０１には、仕切部１８０の挿通方向Ｚにおける移動を規制する一対の規制部１０１ｍ，１０１ｎが設けられている。一対の規制部１０１ｍ，１０１ｎは、仕切部１８０が挿通できる程度に仕切部１８０の厚みよりも所定量だけ（若干）大きい間隔をおいて端子ボックス本体１０１の内壁の第１方向Ｘにおける両側に設けられている。これにより、規制部１０１ｍ，１０１ｎは、仕切部１８０の挿通方向Ｚにおける移動を規制することができる。この例では、一対の規制部１０１ｍ，１０１ｎは、端子ボックス本体１０１の第１方向Ｘにおける両側の内壁から第１方向Ｘにおける内側に突出する突起部とされている。一対の規制部１０１ｍ，１０１ｎは、端子ボックス本体１０１に一体的に設けられている。
【０１４７】
また、実施の形態２に係る端子ボックス本体１０１には、実施の形態１に係る端子ボックス１００で設けられていた貫通孔１０１ｈ（図３、図４（ｂ）及び図６（ｂ）参照）が設けられておらず、従って、第２端子部材１２０における折り曲げ部１２４が貫通孔１０１ｈに入り込めないことから、実施の形態２に係る端子ボックス本体１０１の第１方向Ｘにおけるサイズｄ２（図１９（ｃ）参照）が、実施の形態１に係る端子ボックス本体１０１の第１方向Ｘにおけるサイズｄ２（図３参照）よりも、その分（具体的には１ｍｍ程度）大きくなっている。
【０１４８】
そして、実施の形態２に係る端子ボックス本体１０１では、端子ボックス本体１０１内の端子部材（この例では第１端子部材１１０及び第２端子部材１２０）と電線Ｗ１，Ｗ２との接続部１９０，１９０が充填剤（図１８（ａ）のハッチングの部分参照）で充填されている。
【０１４９】
例えば、実施の形態２に係る端子ボックス１００では、前記した各構成部材が組み付けられた後、先ず、端子ボックス本体１０１内で仕切部１８０，１８０により仕切られた接続部１９０，１９０に充填剤（図１８（ａ）のハッチングの部分参照）が投入されて充填され、接続部１９０，１９０が封止される。次に、実施の形態２に係る端子ボックス１００では、太陽電池モジュール本体Ｍのリード線Ｌ１，Ｌ２が一方のリード線接続部１５１及び他方のリード線接続部１２３にそれぞれ接続される。その後、実施の形態２に係る端子ボックス１００では、端子ボックス本体１０１内で仕切部１８０，１８０により仕切られた内側部αに充填剤が投入されて充填され、さらに端子ボックス本体１０１にボックス蓋１０２が装着される。
【０１５０】
［実施の形態３］
実施の形態１，２では、複数の太陽電池モジュールＭＯ〜ＭＯを並列に接続するように端子ボックス１００〜１００を構成したが、複数の太陽電池モジュールＭＯ〜ＭＯを直列に接続するように端子ボックス１００〜１００を構成してもよい。
【０１５１】
［実施の形態４］
実施の形態１〜３では、第１端子部材１１０を正極とし、第２端子部材１２０を負極とするように端子ボックス１００〜１００を構成したが、第１端子部材１１０を負極とし、第２端子部材１２０を正極とするように端子ボックス１００〜１００を構成してもよい。
【０１５２】
［実施の形態５］
実施の形態１〜４では、端子ボックス１００を太陽電池モジュール本体Ｍの側面Ｍ１に設けるようにしたが、太陽電池モジュール本体Ｍの裏面に設けるようにしてもよい。
【０１５３】
［実施の形態６］
実施の形態１〜５に係る端子ボックス１００を備える太陽電池モジュールＭＯとしては、特に限定されるものではないが、結晶太陽電池モジュールよりも定格電圧が高く、並列接続に望まれるという観点から、薄膜太陽電池モジュールを用いることが好ましい。
【０１５４】
［実施の形態７］
太陽電池モジュールＭＯ（特に、発電部に光を透過させるために細長い溝（所謂シースルーライン）やドットを多数形成して光を透過させるようにした光透過型、所謂シースルータイプの薄膜太陽電池モジュール）は、実施の形態１〜６に係る端子ボックス１００を備えることが好ましい。
【０１５５】
［本実施の形態について］
以上説明したように、本実施の形態（実施の形態１〜７）によると、端子ボックス１００は、端子ボックス本体１０１と、端子ボックス本体１０１の一端部１００ａ及び一端部１００ａとは反対側の他端部１００ｂにそれぞれ一対の電線Ｗ１，Ｗ２とを備えるので、一対の電線Ｗ１，Ｗ２を所定方向（この例では挿通方向Ｚ）に揃えることができ、従って、太陽電池モジュールＭＯの並列接続に適した端子ボックス１００の小型化を実現させることが可能となる。また、一対の電線Ｗ１，Ｗ２が端子ボックス本体１０１に接続される場合でも端子ボックス１００の小型化を実現させることが可能となる。例えば、端子ボックス１００は、端子ボックス本体１０１の一端部１００ａに一方のケーブル２１０が接続され、かつ、一端部１００ａとは反対側の他端部１００ｂに他方のケーブル２２０が接続される構成とされており、一方のケーブル２１０及び他方のケーブル２２０は、何れも一対（２芯）の電線Ｗ１，Ｗ２を備えている場合であっても、端子ボックス１００の小型化を実現させることができる。また、太陽電池アレイ４００は、一の太陽電池モジュールＭＯの一対の電線Ｗ１，Ｗ２が隣接する他の太陽電池モジュールＭＯの一対の電線Ｗ１，Ｗ２と電気的に接続されることにより複数の太陽電池モジュールＭＯ〜ＭＯが並列接続されている場合においても、複数の太陽電池モジュールＭＯ〜ＭＯを効率的に配置することができる。
【０１５６】
かかる構成の端子ボックス１００は、特に、太陽電池モジュール本体Ｍの側面Ｍ１に設けられる場合、或いは／さらに、太陽電池モジュールＭＯが光透過型（所謂シースルータイプ）の太陽電池モジュールである場合、或いは／さらに、太陽電池モジュールＭＯが薄膜太陽電池モジュールである場合に、好適に用いることができる。
【０１５７】
詳しくは、端子ボックス１００は、一端部１００ａに一方のケーブル２１０が接続され、かつ、一端部１００ａとは反対側の他端部１００ｂに他方のケーブル２２０が接続される構成とされており、一端部１００ａから一方のケーブル２１０を挿通する一方のケーブル挿通部１０１ａ、及び、他端部１００ｂから他方のケーブル２２０を挿通する他方のケーブル挿通部１０１ｂを有する端子ボックス本体１０１を備えることで、端子ボックス本体１０１のサイズを小さくすることができ、これにより、一方のケーブル２１０及び他方のケーブル２２０が何れも一対（２芯）の電線Ｗ１，Ｗ２を備えたものとされている構成において、端子ボックス１００の小型化を実現させることが可能となる。
【０１５８】
また、本実施の形態では、端子ボックス１００は、端子ボックス本体１０１内に設けられた第１端子部材１１０と第１端子部材１１０とは極性の異なる第２端子部材１２０とが積層構造とされていることで、端子ボックス本体１０１内のスペースを有効に利用することができ、これにより、端子ボックス１００のさらなる小型化を実現させることが可能となる。
【０１５９】
具体的には、端子ボックス１００は、一方のケーブル２１０を挿通する一方のケーブル挿通部１０１ａ、及び、他方のケーブル２２０を挿通する他方のケーブル挿通部１０１ｂを有する端子ボックス本体１０１と、端子ボックス本体１０１内に設けられ、かつ、端子ボックス本体１０１に挿通された一方のケーブル２１０の一対の電線Ｗ１，Ｗ２のうちの一方の電線Ｗ１に電気的に接続される一端子１１１、及び、端子ボックス本体１０１に挿通された他方のケーブル２２０の一対の電線Ｗ１，Ｗ２のうちの一方の電線Ｗ１に電気的に接続される他端子１１２を有する第１端子部材１１０と、端子ボックス本体１０１内に設けられ、かつ、端子ボックス本体１０１に挿通された一方のケーブル２１０の一対の電線Ｗ１，Ｗ２のうちの他方の電線Ｗ２に電気的に接続される一端子１２１、及び、端子ボックス本体１０１に挿通された他方のケーブル２２０の一対の電線Ｗ１，Ｗ２のうちの他方の電線Ｗ２に電気的に接続される他端子１２２を有する第２端子部材１２０とを備え、第１端子部材１１０と第２端子部材１２０とが積層構造とされていることで、端子ボックス本体１０１のサイズを小さくすることができ、これにより、一方のケーブル２１０及び他方のケーブル２２０が何れも一対（２芯）の電線Ｗ１，Ｗ２を備えたものとされている構成において、端子ボックス１００の小型化を実現させることが可能となる。
【０１６０】
また、本実施の形態では、端子ボックス１００は、一端部１００ａに一方のケーブル２１０が接続され、かつ、一端部１００ａとは反対側の他端部１００ｂに他方のケーブル２２０が接続される構成とされており、端子ボックス本体１０１における一方のケーブル挿通部１０１ａは、一端部１００ａから一方のケーブル２１０を挿通し、端子ボックス本体１０１における他方のケーブル挿通部１０１ｂは、他端部１００ｂから他方のケーブル２２０を挿通する。
【０１６１】
こうすることで、端子ボックス１００、一方のケーブル２１０及び他方のケーブル２２０を太陽電池モジュール本体Ｍに沿って仮想直線上に配置することができ、これにより、例えば、太陽電池モジュールＭＯを建物の窓などの幅広い用途に使用させることが可能となる。
【０１６２】
また、本実施の形態では、一方のケーブル２１０の一対の電線Ｗ１，Ｗ２及び他方のケーブル２２０の一対の電線Ｗ１，Ｗ２は、何れも一方のケーブル２１０及び他方のケーブル２２０を挿通する挿通方向Ｚに交差する第１方向Ｘに並設されており、第１端子部材１１０及び第２端子部材１２０は、挿通方向Ｚ及び第１方向Ｘの双方に交差する第２方向Ｙに積層されている。
【０１６３】
このように、一方のケーブル２１０の一対の電線Ｗ１，Ｗ２及び他方のケーブル２２０の一対の電線Ｗ１，Ｗ２は、何れも第１方向Ｘに並設されていることで、端子ボックス本体１０１の第２方向Ｙにおけるサイズを一方のケーブル２１０及び他方のケーブル２２０の幅程度のサイズにすることができる。また、第１端子部材１１０及び第２端子部材１２０は、第２方向Ｙに積層されていることで、それだけ端子ボックス本体１０１のサイズを小さくすることができる。従って、端子ボックス１００のサイズを、単一（１芯）の電線を備えたケーブルが接続される従来の端子ボックスのサイズ程度にすることが可能となる。
【０１６４】
また、本実施の形態では、端子ボックス１００は、太陽電池モジュール本体Ｍの側面Ｍ１に設けられ、端子ボックス本体１０１の第２方向Ｙのサイズは、太陽電池モジュール本体Ｍの厚み以下とされている。
【０１６５】
こうすることで、太陽電池モジュール本体Ｍの厚み方向において、端子ボックス本体１０１を太陽電池モジュール本体Ｍから突き出さないようにすることができる。
【０１６６】
ところで、端子ボックス本体１０１が太陽電池モジュール本体Ｍの側面Ｍ１に設けられている状態において、例えば、端子ボックス１００が太陽電池モジュール本体Ｍを保持するフレーム（枠）部材に覆われる場合がある。この場合、端子ボックス１００が側面Ｍ１に設けられた太陽電池モジュール本体Ｍをフレーム部材に嵌め入れる際に、端子ボックス本体１０１の第１方向Ｘにおけるサイズが大きすぎると、太陽電池モジュール本体Ｍをフレーム部材に嵌め入れ難くなり、従って、太陽電池モジュール本体Ｍのフレーム部材への取り付け作業性が悪化する。
【０１６７】
この点、本実施の形態では、端子ボックス本体１０１の高さ（具体的には第１方向Ｘにおけるサイズ）は、２０ｍｍ以下（好ましくは１５ｍｍ以下、より好ましくは１４ｍｍ以下）とされている。
【０１６８】
こうすることで、例えば、端子ボックス１００が太陽電池モジュール本体Ｍを保持するフレーム部材に覆われる場合において、端子ボックス１００が側面Ｍ１に設けられた太陽電池モジュール本体Ｍをフレーム部材に嵌め入れる際に、太陽電池モジュール本体Ｍをフレーム部材に嵌め入れ易くすることができ、これにより、太陽電池モジュール本体Ｍのフレーム部材への取り付け作業性を向上させることが可能となる。
【０１６９】
ところで、第１端子部材１１０及び第２端子部材１２０のうち何れか一方（例えばこの例のようにリード線接続部１２３を有する第２端子部材１２０）の一端子１２１と他端子１２２との間に該端子部材（この例ではリード線接続部１２３を有する第２端子部材１２０）を遮る他の部材（例えばダイオード１４０や第３端子部材１５０）が設けられると、該他の部材（例えばダイオード１４０や第３端子部材１５０）が邪魔になって、該端子部材（この例ではリード線接続部１２３を有する第２端子部材１２０）をうまく配線することができない。
【０１７０】
この点、本実施の形態では、第１端子部材１１０及び第２端子部材１２０のうち何れか一方（この例では第２端子部材１２０）の一端子１２１と他端子１２２とが一方のケーブル２１０及び他方のケーブル２２０を挿通する挿通方向Ｚに沿った仮想直線上に設けられており、該一端子１２１と該他端子１２２との間には、該仮想直線上から退避するように折り曲げて形成された折り曲げ部１２４が設けられている。
【０１７１】
こうすることで、第１端子部材及び第２端子部材のうち何れか一方（例えばこの例のようにリード線接続部１２３を有する第２端子部材１２０）の一端子１２１と他端子１２２との間に該端子部材（この例ではリード線接続部１２３を有する第２端子部材１２０）を遮る他の部材（例えばダイオード１４０や第３端子部材１５０）が設けられる場合であっても、該他の部材（例えばダイオード１４０や第３端子部材１５０）が邪魔になることなく、該端子部材（この例ではリード線接続部１２３を有する第２端子部材１２０）を良好に配線することが可能となる。
【０１７２】
また、本実施の形態では、端子ボックス本体１０１の内壁１０１ｇの折り曲げ部１２４に対応する部分には、窪み部又は貫通孔（この例では貫通孔１０１ｈ）が形成されており、折り曲げ部１２４は、端子ボックス本体１０１の内壁１０１ｇにおける窪み部又は貫通孔（この例では貫通孔１０１ｈ）に入り込んだ状態で配線されている。
【０１７３】
こうすることで、窪み部又は貫通孔（この例では貫通孔１０１ｈ）により、折り曲げ部１２４のスペースを確保することができ、これにより、端子ボックス本体１０１のサイズを維持することが可能となる。
【０１７４】
また、本実施の形態では、端子ボックス１００は、端子ボックス本体１０１内に設けられ、かつ、第１端子部材１１０と第２端子部材１２０との間を電気的に絶縁するスペーサ１３０をさらに備えている。
【０１７５】
こうすることで、第１端子部材１１０と第２端子部材１２０との間を確実に電気的に絶縁することが可能となる。
【０１７６】
また、本実施の形態では、スペーサ１３０は、第１端子部材１１０及び第２端子部材１２０を保持する保持部を備え、該保持部が絶縁部を兼ねている。
【０１７７】
こうすることで、スペーサ１３０により、絶縁性を有するだけでなく、第１端子部材１１０及び第２端子部材１２０を端子ボックス本体１０１内に取り付ける際に、第１端子部材１１０及び第２端子部材１２０を端子ボックス本体１０１内に確実に保持することができ、それだけ、第１端子部材１１０及び第２端子部材１２０の端子ボックス本体１０１内への取り付け作業性を向上させることができる。
【０１７８】
ところで、太陽光発電システムでは、通常、太陽電池モジュールに電気的に接続されるダイオード、詳しくは、太陽電池モジュールと出力先（例えば負荷や蓄電池）との間に順方向に電気的に接続されるブロッキングダイオード（逆流防止ダイオード）や、太陽電池モジュールと並列に太陽電池モジュールの極性とは逆方向になるように電気的に接続されるバイパスダイオードが設けられる。かかるダイオードが端子ボックス本体の外部に設けられると、太陽電池モジュールの接続形態が複雑な構成となる。
【０１７９】
この点、本実施の形態では、端子ボックス１００は、端子ボックス本体１０１内にダイオード１４０をさらに備える。
【０１８０】
こうすることで、端子ボックス本体１０１内にダイオード１４０を設けることができ、これにより、太陽電池モジュールＭＯの接続形態をシンプルな構成にすることができる。
【０１８１】
また、本実施の形態では、端子ボックス本体１０１には、太陽電池モジュール本体Ｍから取り出された一対のリード線Ｌ１，Ｌ２をそれぞれ挿通する一対のリード線挿通孔１０１ｅ，１０１ｆが設けられている。そして、第１端子部材１１０及び第２端子部材１２０のうち何れか一方（この例では第１端子部材１１０）は、端子ボックス本体１０１の一対のリード線挿通孔１０１ｅ，１０１ｆのうちの一方のリード線挿通孔（この例ではリード線挿通孔１０１ｅ）から挿通された、一対のリード線Ｌ１，Ｌ２のうちの一方のリード線（この例ではリード線Ｌ１）にダイオード１４０を介して電気的に接続され、第１端子部材１１０及び第２端子部材１２０のうち何れか他方（この例では第２端子部材１２０）は、端子ボックス本体１０１の一対のリード線挿通孔１０１ｅ，１０１ｆのうちの他方のリード線挿通孔（この例ではリード線挿通孔１０１ｆ）から挿通された、一対のリード線Ｌ１，Ｌ２のうちの他方のリード線（この例ではリード線Ｌ２）に電気的に接続される。
【０１８２】
こうすることで、ダイオード１４０を端子ボックス本体１０１内に確実に設けることができる。
【０１８３】
また、本実施の形態では、端子ボックス１００は、端子ボックス本体１０１内に設けられる第３端子部材１５０をさらに備え、第３端子部材１５０は、端子ボックス本体１０１の一方のリード線挿通孔１０１ｅから挿通された一方のリード線Ｌ１に電気的に接続される一方のリード線接続部１５１と、ダイオード１４０の一方の端子１４２に電気的に接続される一方のダイオード接続部１５２とを有し、第１端子部材１１０及び第２端子部材１２０のうち何れか一方（この例では第１端子部材１１０）は、ダイオード１４０の他方の端子１４３に電気的に接続される他方のダイオード接続部１１４を有し、第１端子部材１１０及び第２端子部材１２０のうち何れか他方（この例では第２端子部材１２０）は、端子ボックス本体１０１の他方のリード線挿通孔１０１ｆから挿通された他方のリード線Ｌ２に電気的に接続される他方のリード線接続部１２３を有する。
【０１８４】
こうすることで、第３端子部材１５０を用いて、第１端子部材１１０及び第２端子部材１２０のうち何れか一方（この例では第１端子部材１１０）を、ダイオード１４０を介して一方のリード線Ｌ１に接続することができ、これにより、第１端子部材１１０及び第２端子部材１２０のうち何れか一方（この例では第１端子部材１１０）とダイオード１４０と一方のリード線Ｌ１とを簡単な構成で確実に配線することが可能となる。
【０１８５】
また、本実施の形態では、端子ボックス１００は、太陽電池モジュールＭＯの太陽電池モジュール本体Ｍから取り出された一対のリード線Ｌ１，Ｌ２のうちの一方のリード線Ｌ１に電気的に接続される一方のリード線接続部１５１の接続位置及び一対のリード線Ｌ１，Ｌ２のうちの他方のリード線Ｌ２に電気的に接続される他方のリード線接続部１２３の接続位置が所定方向（この例では第２方向Ｙ）において揃う又は略揃うように構成されている。
【０１８６】
こうすることで、一対のリード線Ｌ１，Ｌ２を一方のリード線接続部１５１及び他方のリード線接続部１２３にそれぞれ接続し易くすることができる。
【０１８７】
また、本実施の形態では、端子ボックス１００は、端子ボックス本体１０１内に設けられ、かつ、第１端子部材１１０と第２端子部材１２０と第３端子部材１５０との間を電気的に絶縁するスペーサ１３０を備えている。
【０１８８】
こうすることで、第１端子部材１１０と第２端子部材１２０と第３端子部材１５０との間を確実に電気的に絶縁することが可能となる。
【０１８９】
また、本実施の形態では、スペーサ１３０には、一方のリード線接続部１５１及び他方のリード線接続部１２３をそれぞれ載置する一対の載置部１３８，１３９が設けられている。
【０１９０】
こうすることで、一対の載置部１３８，１３９において一方のリード線接続部１５１及び他方のリード線接続部１２３を確実に保持することが可能となる。
【０１９１】
ところで、一対のリード線Ｌ１，Ｌ２をそれぞれ一方のリード線接続部１５１及び他方のリード線接続部１２３に接続する接続形態としては、それには限定されないが、例えば、半田付けによる接続形態、カシメによる接続形態、超音波による接続形態、或いは、これらの少なくとも二つを組み合わせた接続形態を例示できる。このうち、一対のリード線Ｌ１，Ｌ２をそれぞれ一方のリード線接続部１５１及び他方のリード線接続部１２３に半田付けにより接続する際に、半田が一方のリード線接続部１５１及び他方のリード線接続部１２３の外側に流れ落ちることがある。
【０１９２】
この点、本実施の形態では、端子ボックス１００において、太陽電池モジュールＭＯの太陽電池モジュール本体Ｍから取り出された一対のリード線Ｌ１，Ｌ２のうちの少なくとも一方のリード線（Ｌ１及び／又はＬ２）に電気的に接続されるリード線接続部（１５１及び／又は１２３）の周縁部の少なくとも一部を囲むように突出した突出部（１３８ａ及び／又は１３９ａ）が設けられていることで、例えば、一対のリード線Ｌ１，Ｌ２の少なくとも一方のリード線接続部（１５１及び／又は１２３）に半田付けにより接続する際に、半田を、対応する突出部（１３８ａ及び／又は１３９ａ）により保持することができ、これにより、半田が少なくとも一方のリード線接続部（１５１及び／又は１２３）の外側に流れ落ちることを効果的に防止することが可能となる。
【０１９３】
この例では、端子ボックス１００において、一方のリード線接続部１５１の周縁部の少なくとも一部を囲むように一方のリード線接続部１５１の厚みより突出した一方の突出部１３８ａと、他方のリード線接続部１２３の周縁部の少なくとも一部を囲むように他方のリード線接続部１２３の厚みより突出した他方の突出部１３９ａとが設けられている。
【０１９４】
こうすることで、例えば、一対のリード線Ｌ１，Ｌ２をそれぞれ一方のリード線接続部１５１及び他方のリード線接続部１２３に半田付けにより接続する際に、半田を一方の突出部１３８ａ及び他方の突出部１３９ａにより保持することができ、これにより、半田が一方のリード線接続部１５１及び他方のリード線接続部１２３の外側に流れ落ちることを効果的に防止することが可能となる。
【０１９５】
また、本実施の形態では、一方の突出部１３８ａと他方の突出部１３９ａとはスペーサ１３０に設けられている。
【０１９６】
こうすることで、一方の突出部１３８ａ及び他方の突出部１３９ａをスペーサ１３０に設けるといった簡単な構成で、一方の突出部１３８ａ及び他方の突出部１３９ａを得ることができる。
【０１９７】
また、本実施の形態では、端子ボックス１００は、端子ボックス本体１０１内に設けられ、かつ、一方のケーブル２１０及び他方のケーブル２２０をそれぞれ端子ボックス本体１０１に固定する一対の固定部材１６０，１６０をさらに備えている。
【０１９８】
こうすることで、一方のケーブル２１０及び他方のケーブル２２０の端子ボックス本体１０１からの抜けを効果的に防止することが可能となる。
【０１９９】
ところで、一方のケーブル２１０及び他方のケーブル２２０としては、何れも２本の１芯ケーブルがそれぞれ独立したケーブル対を用いてもよいが、この場合、太陽電池モジュール本体Ｍ，Ｍ間に接続される一方のケーブル２１０及び他方のケーブル２２０が２本のケーブルとなり、そうすると、太陽電池モジュールＭＯの接続形態が複雑なものとなる。
【０２００】
この点、本実施の形態では、一方のケーブル２１０及び他方のケーブル２２０は、何れも一対の電線Ｗ１，Ｗ２を一体化した２芯一体化ケーブル２１０ａ，２２０ａとされている。
【０２０１】
こうすることで、太陽電池モジュール本体Ｍ，Ｍ間に接続される一方のケーブル２１０及び他方のケーブル２２０を１本のケーブルとすることができ、これにより、太陽電池モジュールＭＯの接続形態をシンプルな構成にすることができる。
【０２０２】
ところで、一方のケーブル２１０と他方のケーブル２２０とを接続するにあたり、２芯一体化ケーブル２１０ａ，２２０ａ同士を接続するための２芯一体化ケーブル用のコネクタを用いて、２芯一体化ケーブル２１０ａ，２２０ａ同士を接続する場合、該２芯一体化ケーブル用のコネクタは、通常は、１芯ケーブル同士を接続するための１芯ケーブル用のコネクタに比べて２芯一体化ケーブル２１０ａ，２２０ａ同士を接続しづらい構成となっているため、２芯一体化ケーブル同士の接続作業性が悪化するという不都合がある。
【０２０３】
この点、本実施の形態では、２芯一体化ケーブル２１０ａ，２２０ａは、端子ボックス本体１０１に接続される側とは反対側が１芯ケーブル（２１１，２２１），（２１２，２２２）ずつに分岐されており、分岐側の２つの１芯ケーブル（２１１，２２１），（２１２，２２２）の端部には、一対のコネクタ３０１，３０２が設けられている。
【０２０４】
こうすることで、コネクタとして、１芯ケーブル（２１１，２２１），（２１２，２２２）同士を接続するための１芯ケーブル用のコネクタ３０１，３０２を用いて、１芯ケーブル同士（２１１，２２１），（２１２，２２２）を接続することができ、これにより、１芯ケーブル用のコネクタ３０１，３０２では１芯ケーブル（２１１，２２１），（２１２，２２２）同士を接続し易くすることができ、従って、２芯一体化ケーブル２１０ａ，２２０ａとされた一方のケーブル２１０及び他方のケーブル２２０の接続作業性を向上させることができる。
【０２０５】
また、本実施の形態では、端子ボックス１００は、一方のケーブル２１０に設けられた一対のコネクタ３０１，３０２と他方のケーブル２２０に設けられた一対のコネクタ３０２，３０１とは接続可能な構成とされている。
【０２０６】
こうすることで、複数の太陽電池モジュールＭＯ〜ＭＯの一対のコネクタ３０１，３０２と他方のケーブル２２０とを交互に接続することが可能となる。
【０２０７】
ところで、本実施の形態のように、一方のケーブル２１０における一対の電線Ｗ１，Ｗ２と他方のケーブル２２０における一対の電線Ｗ１，Ｗ２とを接続するにあたり、一方のケーブル２１０における一対の電線Ｗ１，Ｗ２と他方のケーブル２２０における一対の電線Ｗ１，Ｗ２との間で互いの接続先（具体的には極性）が予め決められている場合がある。この場合、一方のケーブル２１０における一対の電線Ｗ１，Ｗ２と他方のケーブル２２０における一対の電線Ｗ１，Ｗ２とを間違えて接続することが考えられる。
【０２０８】
この点、本実施の形態では、端子ボックス１００は、一方のケーブル２１０における一方の１芯ケーブル２１１（この例では正極とされた一方の電線Ｗ１）と他方のケーブル２２０における一方の１芯ケーブル２２１（この例では正極とされた一方の電線Ｗ１）とを接続する構成とされ、かつ、一方のケーブル２１０における他方の１芯ケーブル２１２（この例では負極とされた他方の電線Ｗ２）と他方のケーブル２２０における他方の１芯ケーブル２２２（この例では負極とされた他方の電線Ｗ２）とを接続する構成とされており、一方のケーブル２１０における一方の１芯ケーブル２１１には、一対のコネクタ３０１，３０２のうちの一方のコネクタ３０１が設けられ、かつ、一方のケーブル２１０における他方の１芯ケーブル２１２には、一対のコネクタ３０１，３０２のうちの他方のコネクタ３０２が設けられており、他方のケーブル２２０における一方の１芯ケーブル２２１には、一対のコネクタ３０１，３０２のうちの他方のコネクタ３０２が設けられ、かつ、他方のケーブル２２０における他方の１芯ケーブル２２２には、一対のコネクタ３０１，３０２のうちの一方のコネクタ３０１が設けられており、一方のケーブル２１０における一方のコネクタ３０１と他方のコネクタ３０２とはコネクタ形状が異なっており、他方のケーブル２２０における一方のコネクタ３０１と他方のコネクタ３０２とはコネクタ形状が異なっている。
【０２０９】
こうすることで、たとえ一方のケーブル２１０における一対の電線Ｗ１，Ｗ２と他方のケーブル２２０における一対の電線Ｗ１，Ｗ２との間で互いの接続先が予め決められている場合であっても、一方のケーブル２１０における一対の電線Ｗ１，Ｗ２と他方のケーブル２２０における一対の電線Ｗ１，Ｗ２とを間違えて接続することを効果的に防止することが可能となる。
【０２１０】
また、本実施の形態では、一方のケーブル２１０における一対のコネクタ３０１，３０２と、他方のケーブル２２０における一対のコネクタ３０１，３０２とは同一タイプのものとされている。
【０２１１】
こうすることで、一対のコネクタ３０１，３０２の部品共通化を実現させることができる。
【０２１２】
また、本実施の形態では、端子ボックス１００は、２芯一体化ケーブル２１０ａ，２２０ａの分割された一方の１芯ケーブル２１１，２２１と他方の１芯ケーブル２１２，２２２との長さが異なっている。
【０２１３】
こうすることで、たとえ一方のケーブル２１０における一対の電線Ｗ１，Ｗ２と他方のケーブル２２０における一対の電線Ｗ１，Ｗ２との間で互いの接続先が予め決められている場合であっても、一方のケーブル２１０における一対の電線Ｗ１，Ｗ２と他方のケーブル２２０における一対の電線Ｗ１，Ｗ２とを間違えて接続することを効果的に防止することが可能となる。
【０２１４】
また、本実施の形態では、端子ボックス１００は、一方のケーブル２１０の短い方の１芯ケーブル２１１と他方のケーブル２２０の長い方の１芯ケーブル２２１とが接続可能とされ、かつ、一方のケーブル２１０の長い方の１芯ケーブル２１２と他方のケーブル２２０の短い方の１芯ケーブル２２２とが接続可能とされており、一方のケーブル２１０の短い方の１芯ケーブル２１１と他方のケーブル２２０の長い方の１芯ケーブル２２１とが接続されたときの短い方の１芯ケーブル２１１と長い方の１芯ケーブル２２１との合計の長さと、一方のケーブル２１０の長い方の１芯ケーブル２１２と他方のケーブル２２０の短い方の１芯ケーブル２２２とが接続されたときの長い方の１芯ケーブル２１２と短い方の１芯ケーブル２２２との合計の長さとが等しい又は略等しくなっている。
【０２１５】
こうすることで、複数の太陽電池モジュールＭＯ〜ＭＯの一方のケーブル２１０と他方のケーブル２２０とを交互にかつ直線的に接続することが可能となる。
【０２１６】
また、本実施の形態では、一方のケーブル２１０の短い方の１芯ケーブル２１１に設けられたコネクタ３０１のコネクタ形状と他方のケーブル２２０の短い方の１芯ケーブル２２２に設けられたコネクタ３０１のコネクタ形状とは同一形状とされ、かつ、一方のケーブル２１０の長い方の１芯ケーブル２１２に設けられたコネクタ３０２のコネクタ形状と他方のケーブル２２０の長い方の１芯ケーブル２２１に設けられたコネクタ３０２のコネクタ形状とが同一形状とされている。
【０２１７】
こうすることで、一対のコネクタ３０１，３０２を設けた一方のケーブル２１０の部品共通化及び一対のコネクタ３０１，３０２を設けた他方のケーブル２２０の部品共通化を実現させることができる。
【０２１８】
また、本実施の形態では、端子ボックス１００は、２芯一体化ケーブル２１０ａ，２２０ａの分割された一方の１芯ケーブル２１１，２２１と他方の１芯ケーブル２１２，２２２との配色が異なっている。
【０２１９】
こうすることで、たとえ一方のケーブル２１０における一対の電線Ｗ１，Ｗ２と他方のケーブル２２０における一対の電線Ｗ１，Ｗ２との間で互いの接続先が予め決められている場合であっても、一方のケーブル２１０における一対の電線Ｗ１，Ｗ２と他方のケーブル２２０における一対の電線Ｗ１，Ｗ２とを間違えて接続することを効果的に防止することが可能となる。
【０２２０】
ところで、一方の１芯ケーブル２１１，２２１と他方の１芯ケーブル２１２，２２２との分岐部２３０では、一方の１芯ケーブル２１１，２２１及び他方の１芯ケーブル２１２，２２２の取り扱いによっては、分岐部２３０に外力が加わり易く、それだけ、分岐部２３０にダメージを受け易い。
【０２２１】
この点、本実施の形態では、端子ボックス１００は、一方の１芯ケーブル２１１，２２１と他方の１芯ケーブル２１２，２２２との分岐部２３０に設けられて分岐部２３０の全体を覆うカバー部材２４０をさらに備えている。
【０２２２】
こうすることで、カバー部材２４０により、分岐部２３０を保護することができ、これにより、分岐部２３０にたとえ外力が加わったとしても分岐部２３０にダメージを受け難くすることが可能となる。
【０２２３】
ところで、本実施の形態のように、分岐部２３０の近傍には、一方の１芯ケーブル２１１，２２１同士を電気的に接続した一方の接続部２０１と、他方の１芯ケーブル２１２，２２２同士を電気的に接続した他方の接続部２０２とが設けられることがある。この場合、一方の接続部２０１及び他方の接続部２０２において、風雨等の外部環境に対して影響を受け易い。
【０２２４】
この点、本実施の形態では、カバー部材２４０は、一方の接続部２０１及び他方の接続部２０２を含めた分岐部２３０の全体を覆う。
【０２２５】
こうすることで、カバー部材２４０により、一方の接続部２０１及び他方の接続部２０２において、風雨等の外部環境に対して影響を受け難くすることが可能となる。
【０２２６】
また、実施の形態２では、端子ボックス１００は、端子ボックス本体１０１内の端子部材（この例では第１端子部材１１０及び第２端子部材１２０）と電線Ｗ１，Ｗ２との接続部１９０，１９０が充填剤で充填されていることで、端子ボックス本体１０１内で接続部１９０，１９０に充填剤を先に充填し、接続部１９０，１９０を封止した後、端子ボックス本体１０１内で接続部１９０，１９０以外の部分に充填剤を充填することができ、こうすることで、止水性を向上させることができる。
【０２２７】
具体的には、実施の形態２では、端子ボックス１００は、端子ボックス本体１０１内で、端子部材（この例では第１端子部材１１０及び第２端子部材１２０）及び電線Ｗ１，Ｗ２の接続部１９０，１９０と、電線Ｗ１，Ｗ２が設けられる方向（この例では挿通方向Ｚ）において接続部１９０，１９０よりも内側に位置する内側部αとを仕切る仕切部１８０，１８０を備えていることで、端子ボックス本体１０１内で仕切部１８０，１８０により仕切られた接続部１９０，１９０に充填剤を先に充填し、接続部１９０，１９０を封止した後、端子ボックス本体１０１内で仕切部１８０，１８０により仕切られた内側部αに充填剤を充填することができ、こうすることで、止水性を向上させることができる。
【０２２８】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０２２９】
１００    端子ボックス
１００ａ  一端部
１００ｂ  他端部
１０１    端子ボックス本体
１０１ａ  一方のケーブル挿通部
１０１ｂ  他方のケーブル挿通部
１０１ｄ  設置面
１０１ｅ  一方のリード線挿通孔
１０１ｆ  他方のリード線挿通孔
１０１ｇ  内壁
１０１ｈ  貫通孔
１０２    ボックス蓋
１１０    第１端子部材
１１１    一端子
１１２    他端子
１１３    位置決め部
１１４    他方のダイオード接続部
１２０    第２端子部材
１２１    一端子
１２２    他端子
１２３    他方のリード線接続部
１２４    折り曲げ部
１３０    スペーサ
１３８    一方の載置部
１３８ａ  一方の突出部
１３９    他方の載置部
１３９ａ  他方の突出部
１４０    ダイオード
１５０    第３端子部材
１５１    一方のリード線接続部
１５２    一方のダイオード接続部
１６０    固定部材
１７０    シール部材
１８０    仕切部
１９０    接続部
２００    電力ケーブル
２０１    一方の接続部
２０２    他方の接続部
２１０    一方のケーブル
２１０ａ  ２芯一体化ケーブル
２１１    一方の１芯ケーブル
２１２    他方の１芯ケーブル
２２０    他方のケーブル
２２０ａ  ２芯一体化ケーブル
２２１    一方の１芯ケーブル
２２２    他方の１芯ケーブル
２３０    分岐部
２４０    カバー部材
２４２    カバー蓋
３００    コネクタ対
３０１    一方のコネクタ
３０２    他方のコネクタ
４００    太陽電池アレイ
Ｂａ      端子ボックス
Ｂｂ      端子ボックス
ＣＮａ    コネクタ
Ｃａ１    ケーブル
Ｃａ２    ケーブル
Ｌ１      一方のリード線
Ｌ２      他方のリード線
ＭＯ      太陽電池モジュール
Ｍ        太陽電池モジュール本体
Ｍ１      側面
Ｗ１      一方の電線
Ｗ２      他方の電線
Ｗａ      一方の電線
Ｗｂ      他方の電線
Ｘ        第１方向
Ｙ        第２方向
Ｚ        挿通方向
α        内側部
【図１】
2016007125.tif 000003
【図２】
2016007125.tif 000004
【図３】
2016007125.tif 000005
【図４】
2016007125.tif 000006
【図５】
2016007125.tif 000007
【図６】
2016007125.tif 000008
【図７】
2016007125.tif 000009
【図８】
2016007125.tif 000010
【図９】
2016007125.tif 000011
【図１０】
2016007125.tif 000012
【図１１】
2016007125.tif 000013
【図１２】
2016007125.tif 000014
【図１３】
2016007125.tif 000015
【図１４】
2016007125.tif 000016
【図１５】
2016007125.tif 000017
【図１６】
2016007125.tif 000018
【図１７】
2016007125.tif 000019
【図１８】
2016007125.tif 000020
【図１９】
2016007125.tif 000021
【図２０】
2016007125.tif 000022
【図２１】
2016007125.tif 000023
【図２２】
2016007125.tif 000024
【図２３】
2016007125.tif 000025
【図２４】
2016007125.tif 000026